(57)【要約】属性を共有する異なる種類のメディアコンテンツを関連付け、提供するためのシステムおよび方法を提供する。オーディオアセットが再生のために選択されると、オーディオアセットを含む視覚メディアコンテンツが識別され、オーディオアセットと関連付けられてもよい。関連視覚メディアコンテンツは、オーディアセット再生中に有力な視覚構成要素を提供するように、オーディオアセットの再生中に表示されてもよい。ある実施形態では、ユーザは、再生のためにオーディオアセットを選択してもよい。例えば、ユーザは、プレイリストから音楽トラックを選択してもよい。
2013500540.tif 000002
【特許請求の範囲】
【請求項１】
オーディオアセットと視覚メディアとを関連付ける方法であって、
再生のためのオーディオアセットを選択することと、
再生のためのデジタルオーディオアセットを選択することに応じて、ソースを検索することにより、該選択されたオーディオアセットの少なくとも一部分を含む視覚メディアコンテンツを識別することと、
該オーディオアセットを該識別された視覚メディアコンテンツと関連付けることと、
該オーディオアセットの再生中に、該オーディオアセットと関連付けられた該視覚メディアコンテンツを表示することと
を含む、方法。
【請求項２】
前記検索することは、前記オーディオアセットと関連付けられるメタデータを回収することをさらに含み、該検索は、該回収されたメタデータに基づいて行われる、請求項１に記載の方法。
【請求項３】
前記オーディオアセットと関連付けられる前記メタデータは、該オーディオアセットのタイトル、該オーディオアセットと関連付けられるアーティスト名、および該オーディオアセットと関連付けられる日付から構成される群から選択される、請求項２に記載の方法。
【請求項４】
前記検索することは、複数の視覚メディアコンテンツを識別するために検索することを含み、
前記オーディオアセットを関連付けることは、該オーディオアセットを該複数の視覚メディアコンテンツのうちの１つと結び付けることを含む、請求項１に記載の方法。
【請求項５】
前記関連付けることは、前記オーディオアセットと関連付けられる入力と、データベースへの入力に結び付けられる前記識別された視覚メディアコンテンツの識別子とを追加することをさらに含む、請求項１に記載の方法。
【請求項６】
前記検索することおよび前記関連付けることは、前記オーディオアセットが再生されている際に継続的に行われる、請求項１に記載の方法。
【請求項７】
前記オーディオアセットが再生のために選択される度に、前記検索することを繰り返すことをさらに含む、請求項１に記載の方法。
【請求項８】
前記ソースは、データベース、インターネット、ハードドライブ、遠隔デバイス、モバイルデバイス、およびサーバから構成される群から選択される、請求項１に記載の方法。
【請求項９】
前記視覚メディアコンテンツは、映画、映画クリップ、テレビ番組、音楽ビデオ、ビデオゲーム、インターネットコンテンツ、リアルタイムフィード、著名人の写真、コンセプトアートワーク、野外撮影、および舞台裏写真から構成される群から選択される、請求項１に記載の方法。
【請求項１０】
前記視覚メディアコンテンツは、映画からの場面を備え、該画面の間に前記オーディオアセットが再生される、請求項１に記載の方法。
【請求項１１】
前記視覚メディアコンテンツを表示するユーザアカウントを自動的に請求することをさらに含む、請求項１に記載の方法。
【請求項１２】
前記ユーザにオプションを提供することをさらに含み、それにより、前記オーディオアセットと関連付けられる前記視覚メディアコンテンツを注文する、請求項１に記載の方法。
【請求項１３】
前記識別された視覚メディアコンテンツは、前記オプションのユーザ選択の受信に応じて表示される、請求項１２に記載の方法。
【請求項１４】
オプションを前記ユーザに提供することであって、該オプションは、該ユーザが表示される視覚メディアコンテンツの種類を特定することを可能にする、ことと、
前記ソースの前記検索を該ユーザによって特定される視覚メディアコンテンツの種類に制限することと
をさらに含む、請求項１に記載の方法。
【請求項１５】
前記視覚メディアコンテンツに関係付けられる複数のメディアアセットを識別することと、
該複数のメディアアセットの各々を表す識別子を表示することと
をさらに含む、請求項１に記載の方法。
【請求項１６】
前記メディアアセットは、前記視覚メディアコンテンツとは異なる、請求項１５に記載の方法。
【請求項１７】
メディアアセット識別子のユーザ選択を受信し、および該選択された識別子と関連付けられる前記メディアアセットを提供することをさらに含む、請求項１５に記載の方法。
【請求項１８】
前記複数のメディアアセットの各々は、オーディオアセット、視覚メディアコンテンツ、映画、テレビ番組、音楽ビデオ、ビデオゲーム、印刷メディアアセット、およびインターネットビデオコンテンツから構成される群から選択される、請求項１５に記載の方法。
【請求項１９】
オーディオアセットの選択に応じて、該オーディオアセットと関連付けられるデータを第三者サービスに伝送することをさらに含み、前記検索することおよび前記関連付けることは、前記第三者サービスによって行われる、請求項１に記載の方法。
【請求項２０】
前記検索することは、前記オーディオアセットと関連付けられるオーディオ周波数データを、前記視覚メディアコンテンツと関連付けられるオーディオ周波数データと相互参照するオーディオ認識過程を適用することを含む、請求項１に記載の方法。
【請求項２１】
前記第三者サービスは、
データベースに記憶される視覚メディアコンテンツと関連付けられるメタデータを、前記オーディオアセットと関連付けられるメタデータと比較することと、
該メタデータに少なくとも部分的に基づいて、視覚メディアコンテンツを該オーディオアセットと合致させることと
によって、該オーディオアセットを該視覚メディアコンテンツと関連付ける、請求項１９に記載の方法。
【請求項２２】
オーディオアセットと視覚メディアとを関連付ける方法であって、
再生のためのオーディオアセットを選択することと、
該選択されたオーディオアセットに関係付けられる視覚メディアコンテンツを識別するためにソースを検索することと、
該オーディオアセットを該識別された視覚メディアコンテンツと関連付けることと、
該オーディオアセットの再生中に、該オーディオアセットと関連付けられる該視覚メディアコンテンツを表示することと
を含む、方法。
【請求項２３】
オーディオアセットと視覚メディアとを関連付けるシステムであって、
再生のためのオーディオアセットを選択することと、
該再生のためのデジタルオーディオアセットを選択することに応じて、ソースを検索して、該選択されたオーディオアセットの少なくとも一部分を含む視覚メディアコンテンツを識別することと、
該オーディオアセットを該識別された視覚メディアコンテンツと関連付けることと、
該オーディオアセットの再生中に、該オーディオアセットと関連付けられる該視覚メディアコンテンツを表示することと
を行うように構成されるプロセッサを備える、システム。
【請求項２４】
前記プロセッサは、前記オーディオアセットと関連付けられるメタデータを回収するようにさらに構成され、前記検索は、該回収されたメタデータに基づいて行われる、請求項２３に記載のシステム。
【請求項２５】
前記オーディオアセットと関連付けられる前記メタデータは、該オーディオアセットのタイトル、該オーディオアセットと関連付けられるアーティスト名、および該オーディオアセットと関連付けられる日付から構成される群から選択される、請求項２４に記載のシステム。
【請求項２６】
前記プロセッサは、
複数の視覚メディアコンテンツを識別するために検索することと、
前記オーディオアセットを該複数の視覚メディアコンテンツのうちの１つと結び付けることによって該オーディオアセットを関連付けることと
を行うようにさらに構成される、請求項２３に記載のシステム。
【請求項２７】
前記プロセッサは、前記オーディオアセットと関連付けられる入力と、データベースへの前記入力に結び付けられる前記識別された視覚メディアコンテンツの識別子とを追加するようにさらに構成される、請求項２３に記載のシステム。
【請求項２８】
前記プロセッサは、前記オーディオアセットが再生されている際に、継続的に検索し、関連付けるようにさらに構成される、請求項２３に記載のシステム。
【請求項２９】
前記プロセッサは、前記オーディオアセットが再生のために選択される度に、前記検索を繰り返すようにさらに構成される、請求項２３に記載のシステム。
【請求項３０】
前記ソースは、データベース、インターネット、ハードドライブ、遠隔デバイス、モバイルデバイス、およびサーバから構成される群から選択される、請求項２３に記載のシステム。
【請求項３１】
前記視覚コンテンツは、映画、映画クリップ、テレビ番組、音楽ビデオ、ビデオゲーム、インターネットコンテンツ、リアルタイムフィード、著名人の写真、コンセプトアートワーク、野外撮影、および舞台裏写真から構成される群から選択される、請求項２３に記載のシステム。
【請求項３２】
前記視覚コンテンツは、映画からの場面を備え、該場面の間に前記オーディオアセットが再生される、請求項２３に記載のシステム。
【請求項３３】
前記プロセッサは、前記視覚メディアコンテンツを表示するユーザアカウントを自動的に請求するようにさらに構成される、請求項２３に記載のシステム。
【請求項３４】
前記プロセッサは、前記オーディオアセットと関連付けられる前記視覚メディアコンテンツを注文するために、前記ユーザにオプションを提供するようにさらに構成される、請求項２３に記載のシステム。
【請求項３５】
前記プロセッサは、前記オプションのユーザ選択の受信に応じて、前記識別された視覚メディアコンテンツを表示するようにさらに構成される、請求項３４に記載のシステム。
【請求項３６】
前記プロセッサは、
ユーザが表示される視覚メディアコンテンツの種類を特定することを可能にするオプションを該ユーザに提供することと、
前記ソースの前記検索を、該ユーザによって特定される視覚コンテンツの種類に制限することと
を行うようにさらに構成される、請求項２３に記載のシステム。
【請求項３７】
前記プロセッサは、
前記視覚メディアコンテンツに関係付けられる複数のメディアアセットを識別することと、
該複数のメディアアセットの各々を表す識別子を表示することと
を行うようにさらに構成される、請求項２３に記載のシステム。
【請求項３８】
前記メディアアセットは、前記視覚メディアコンテンツとは異なる、請求項３７に記載のシステム。
【請求項３９】
前記プロセッサは、メディアアセット識別子のユーザ選択を受信することと、該選択された識別子と関連付けられる該メディアアセットを提供するようにさらに構成される、請求項３７に記載のシステム。
【請求項４０】
前記複数のメディアアセットの各々は、オーディオアセット、視覚メディアコンテンツ、映画、テレビ番組、音楽ビデオ、ビデオゲーム、印刷メディアアセット、およびインターネットビデオコンテンツから構成される群から選択される、請求項３７に記載のシステム。
【請求項４１】
前記プロセッサは、前記オーディオアセットの選択に応じて、該オーディオアセットと関連付けられるデータを第三者サービスに伝送するようにさらに構成され、前記検索および前記関連付けは、該第三者サービスによって行われる、請求項２３に記載のシステム。
【請求項４２】
前記検索は、前記オーディオアセットと関連付けられるオーディオ周波数データを、前記視覚メディアコンテンツと関連付けられるオーディオ周波数データと相互参照するオーディオ認識過程を適用することを含む、請求項２３に記載のシステム。
【請求項４３】
前記第三者サービスは、
データベースに記憶される視覚メディアコンテンツと関連付けられるメタデータを、前記オーディオアセットと関連付けられるメタデータと比較することと、
該メタデータに少なくとも部分的に基づいて、視覚メディアコンテンツを該オーディオアセットと合致させることと
によって、該オーディオアセットを該視覚メディアコンテンツと関連付ける、請求項４１に記載のシステム。
【発明の詳細な説明】
【背景技術】
【０００１】
本願は、２００９年７月２７日出願の米国実用出願第１２／５１０，００５号の利益を主張し、その開示は全体として参照することにより本明細書に組み込まれる。
【０００２】
本願は、双方向メディアガイダンスアプリケーションに関し、より具体的には、少なくとも１つの属性を共有する異なる種類のメディアコンテンツを関連付け、提供することに関する。
【０００３】
従来のメディアセンタ技術は、ユーザがテレビを通して個人用音楽コンテンツを聴くことを可能にする。音楽が視覚媒体ではないので、従来の技術は、一般的には、家庭のどこかにデジタルで記憶されているか、現在再生している音楽トラックと関連付けられるアルバムアート、グラフィックデザイン、またはユーザの個人写真の視覚モンタージュの表示を可能にする。
【０００４】
これらの方法は、最初は魅力的な体験を提供する場合があるが、すぐに目新しさがなくなり、ユーザは、何度も見た同じアルバムアートおよび繰り返してスクロールする同じ写真に飽きてくる場合がある。魅力的な視覚コンテンツが欠けている従来のシステムの結果として、ユーザが関心を持たなくなる場合があり、音楽が聴覚のみによる体験にとどまるにすぎない場合がある。
【発明の概要】
【課題を解決するための手段】
【０００５】
前述の内容を考慮して、オーディオアセットを視覚メディアコンテンツに関連付けるためのシステムおよび方法を提供することが望ましいであろう。具体的には、選択されたオーディオアセットの少なくとも一部分を含む視覚メディアコンテンツを識別し、オーディオアセットの再生中に視覚メディアコンテンツを表示するシステムを提供することが望ましいであろう。
【０００６】
ある実施形態では、ユーザは、再生のためにオーディオアセットを選択してもよい。例えば、ユーザは、プレイリストから音楽トラックを選択してもよい。いくつかの実施形態では、オーディオアセットは、例えば、制御回路によって自動的に選択されてもよい。再生のためにオーディオアセットを選択することに応じて、選択されたオーディオアセットの少なくとも一部分を含む視覚メディアコンテンツの少なくとも一部分を識別するように、１つ以上のソースが、個別に、または組み合わせて検索されてもよい。検索は、オーディオアセットが再生のために選択される度に繰り返されてもよい。ソースは、データベース、インターネット、ハードドライブ、遠隔デバイス、モバイルデバイス、サーバ、または任意の他の好適なソースであってもよい。視覚メディアコンテンツは、映画、映画クリップ、テレビ番組、音楽ビデオ、ビデオゲーム、インターネットコンテンツ、リアルタイムフィード、コンテンツからの著名人の写真、映画のストーリーボードからの来ん先夫とアートワーク、野外撮影、舞台裏写真、または任意の他の好適な視覚メディアコンテンツであってもよい。いくつかの実施形態では、視覚メディアコンテンツは、その間にオーディオアセットが再生される、映画からの１つ以上の場面であってもよい。
【０００７】
ある実施形態では、検索するステップは、オーディオアセットと関連付けられるメタデータを回収するステップと、検索の基礎を回収されたメタデータに置くステップとを含む。オーディオアセットと関連付けられるメタデータは、オーディオアセットのタイトル、オーディオアセットと関連付けられる１つ以上のアーティスト名、オーディオアセットと関連付けられる日付、または任意の他の好適なメタデータを含んでもよい。例えば、検索は、音楽トラックのタイトルメタデータに基づいて行われてもよい。
【０００８】
視覚メディアコンテンツが識別されると、それは選択されたオーディオアセットと関連付けられてもよい。ある実施形態では、複数の視覚メディアコンテンツが、検索中に識別されてもよく、オーディオアセットを関連付けるステップは、オーディオアセットを複数の視覚メディアコンテンツのうちの１つと結び付けるステップを含む。ある実施形態では、検索するステップおよび関連付けるステップは、オーディオアセットが再生されている際に継続的に行われる。
【０００９】
いくつかの実施形態では、関連付けるステップはさらに、オーディオアセットと関連付けられる入力と、データベースへの入力に結び付けられる識別された視覚メディアコンテンツの識別子とを追加するステップを含む。例えば、検索中に識別される全ての視覚メディアコンテンツは、特定のオーディオアセットに結び付けられるデータベースに追加されてもよい。
【００１０】
視覚メディアコンテンツが選択されたオーディオアセットと関連付けられた後、複数の識別された視覚メディアコンテンツのうちの１つ以上が、オーディオアセットの再生中に表示されてもよい。具体的には、ユーザは、オーディオアセット再生中に表示するための特定の視覚メディアコンテンツを選択してもよく、または視覚メディアコンテンツは、（例えば、制御回路によって）自動的に選択されてもよい。ある実施形態では、ユーザアカウントは、視覚メディアコンテンツを表示するために自動的に請求されてもよい。いくつかの実施形態では、選択されたオーディオアセットと関連付けられる識別された視覚メディアコンテンツを注文するために、オプションがユーザに提供されてもよく、または識別された視覚メディアコンテンツは、オプションのユーザ選択の受信に応じて表示されてもよい。
【００１１】
ある実施形態では、ユーザは、表示される視覚メディアコンテンツの種類を特定するオプションが提供されてもよい。例えば、ユーザは、特定のオーディオアセットの再生中に「テレビ番組」および「映画」のみを表示することを選択してもよい。加えて、ソースの検索は、ユーザによって特定される視覚コンテンツの種類に制限されてもよい。例えば、ユーザが「テレビ番組」および「映画」を表示することのみを選択した場合には、検索は、ＴＶおよび映画視覚メディアコンテンツのみに制限されてもよい。
【００１２】
ある実施形態では、検索は、識別された視覚メディアコンテンツに関係付けられる複数のメディアアセットを識別するように行われてもよい。複数のメディアアセットのそれぞれを表す、識別子が表示されてもよい。例えば、ユーザが、オーディオアセットの再生中に表示される特定の視覚メディアコンテンツ（例えば、テレビ番組）を選択する場合、テレビ番組に関係付けられるメディアコンテンツ（例えば、登場人物紹介）が、ユーザに表示されてもよい。これは、ユーザが、最も楽しむ可能性が高いメディアコンテンツを紹介されることを可能にする。ある実施形態では、複数のメディアアセットを表す識別子は、双方向性（例えば、ユーザによって選択可能）であってもよい。具体的には、ユーザが視覚アセット識別子を選択してもよく、識別子と関連付けられるメディアアセットが提供されてもよい。メディアアセットは、オーディオアセット、視覚メディアアセット、映画アセット、テレビ番組アセット、音楽ビデオアセット、ビデオゲームアセット、印刷メディアアセット、インターネットビデオコンテンツアセット、または任意の他の好適なメディアアセットであってもよい。いくつかの実施形態では、視覚メディアコンテンツおよびメディアアセットは異なる。
【００１３】
ある実施形態では、オーディオアセットの選択に応じて、選択されたオーディオアセットと関連付けられるデータは、第三者サービスに伝送されてもよく、検索するステップおよび関連付けるステップは、第三者サービスによって行われてもよい。いくつかの実施形態では、検索するステップは、オーディオアセットと関連付けられるオーディオ周波数データを、視覚メディアコンテンツと関連付けられるオーディオ周波数データと相互参照する、オーディオ認識過程を適用するステップを含む。いくつかの実施形態では、第三者サービスは、データベースに記憶される視覚メディアコンテンツと関連付けられるメタデータを、オーディオアセットと関連付けられるメタデータと比較することによって、オーディオアセットを視覚メディアコンテンツと関連付け、少なくとも部分的にメタデータに基づいて、視覚メディアコンテンツをオーディオアセットと合致させてもよい。
【００１４】
ある実施形態では、オーディオアセットおよび視覚メディアを関連付けるためのシステムは、上記で説明されるようなステップを実行するように構成される、プロセッサを含む。
【図面の簡単な説明】
【００１５】
本発明の上記および他の対象および利点は、全体を通して類似の参照文字が類似の部品を指す添付図面とともに理解される以下の発明を実施するための形態を考慮することによって、明白となるであろう。
【図１】本発明の実施形態による、メディアガイダンスアプリケーション一覧を提供するために使用されてもよい、例示的な表示画面を示す。
【図２】本発明の実施形態による、メディアガイダンスアプリケーション一覧を提供するために使用されてもよい、例示的な表示画面を示す。
【図３】本発明の別の実施形態による、例示的なユーザ機器デバイスを示す。
【図４】本発明の別の実施形態による、例示的なクロスプラットフォームの双方向メディアシステムの略図である。
【図５】本発明の別の実施形態による、プレイリストメニュー画面の例示的な表示である。
【図６】本発明の別の実施形態による、関連メディアメニュー画面の例示的な表示である。
【図７】図７は、本発明の別の実施形態による、視覚メディアコンテンツ表示画面の例示的な表示である。
【図８】図８は、本発明の別の実施形態による、コンテンツ仕様メニューの例示的な表示である。
【図９】図９は、本発明の別の実施形態による、表示された視覚メディアコンテンツに関係付けられるメディアを提供するメニューの例示的な表示である。
【図１０】図１０Ａおよび１０Ｂは、本発明の他の実施形態による、音楽および視覚メディアコンテンツを関連付けるためのシステムを示す。
【図１１】本発明の別の実施形態による、オーディオアセットの例示的なデータ構造を示す。
【図１２】図１２は、本発明の別の実施形態による、メディア関連付けデータベースの例示的データ構造を示す。
【図１３】図１３および１４は、本発明の実施形態による、オーディオアセットおよび視覚メディアコンテンツを関連付けるための例示的なフロー図である。
【図１４】図１３および１４は、本発明の実施形態による、オーディオアセットおよび視覚メディアコンテンツを関連付けるための例示的なフロー図である。
【発明を実施するための形態】
【００１６】
任意の所与のメディア送達システムにおいて、ユーザに利用可能なメディアの量は膨大となり得る。結果として、多数のユーザは、ユーザがメディアの選択肢を効率的にナビゲートして、所望し得るメディアを容易に識別することを可能にするインターフェースを介した形式のメディアガイダンスを所望している。このようなガイダンスを提供するアプリケーションは、本明細書では、双方向メディアガイダンスアプリケーションと呼ばれ、あるいはメディアガイダンスアプリケーションまたはガイダンスアプリケーションと呼ばれることがある。
【００１７】
双方向メディアガイダンスアプリケーションは、ガイダンスを提供するメディアに応じて、種々の形式を取ってもよい。１つの一般的な種類のメディアガイダンスアプリケーションは、双方向テレビ番組ガイドである。双方向テレビ番組ガイド（電子番組ガイドと呼ばれることもある）は、周知のガイダンスアプリケーションで、ユーザが、特に、従来のテレビ番組（従来の放送、ケーブル、衛星、インターネット、または他の手段を介して提供される）、ならびに有料番組、オンデマンド番組（ビデオオンデマンド（ＶＯＤ）システムのように）、インターネットコンテンツ（例えば、ストリーミングメディア、ダウンロード可能なメディア、ウェブキャスト等）、および他の種類のメディアまたはビデオコンテンツを含む多種のメディアコンテンツ間をナビゲートし、検索することを可能にする。ガイダンスアプリケーションはまた、ユーザが、例えば、ビデオクリップ、記事、広告、チャットセッション、ゲーム等を含むビデオコンテンツに関係付けられるコンテンツ間でナビゲートし、検索することも可能にする。ガイダンスアプリケーションはまた、ユーザが、マルチメディアコンテンツ間でナビゲートし、検索することも可能にする。マルチメディアという用語は、本明細書では、テキスト、オーディオ、静止画像、アニメーション、ビデオ、および双方向性コンテンツ形式等の少なくとも２つの異なるコンテンツ形式を利用するメディアおよびコンテンツとして定義される。マルチメディアコンテンツは、コンピュータ化された電子デバイス等の情報コンテンツ処理デバイスによって、記録および再生、表示、またはアクセスされてもよいが、ライブパフォーマンスの一部にもなり得る。メディアコンテンツに関連して論議される本発明の実施形態はまた、ビデオ、オーディオ、および／またはマルチメディア等の他の種類のコンテンツにも適用可能であることを理解されたい。
【００１８】
インターネット、移動式コンピューティング、高速無線ネットワークの登場に伴い、ユーザは、パーソナルコンピュータ（ＰＣ）や、手持ち式コンピュータ、携帯用情報端末（ＰＤＡ）、携帯電話またはその他のモバイルでバイス等の他のデバイス上で従来はアクセスしなかったメディアにアクセスしている。これらのデバイス上で、ユーザは、テレビを介して利用可能であるのと同じメディア間でナビゲートし、検索することができる。結果として、メディアガイダンスは、これらのデバイス上でも必要である。提供されるガイダンスは、テレビだけを通して視聴可能なメディアコンテンツ、これらのデバイスのうちの１つ以上だけを通して視聴可能なメディアコンテンツ、または、テレビおよびこれらのデバイスのうちの１つ以上の両方を通して視聴可能なメディアコンテンツ用であってもよい。メディアガイダンスアプリケーションは、手持ち式コンピュータ、ＰＤＡ、携帯電話、または他のモバイルデバイス上で、オンラインアプリケーション（すなわち、ウェブサイト上で提供される）、または、独立型アプリケーションまたはクライアントとして提供されてもよい。メディアガイダンスアプリケーションを実装してもよい、種々のデバイスおよびプラットフォームを、以下で詳細に説明する。
【００１９】
メディアガイダンスアプリケーションの機能のうちの１つは、メディア一覧およびメディア情報をユーザに提供することである。図１−２は、メディアガイダンス、具体的にはメディア一覧を提供するために使用されてもよい、例示的な表示画面を示す。図１−２および５−９に示された表示画面は、任意の好適なデバイスまたはプラットフォーム上で実装されてもよい。図１−２および５−７の表示は、全画面表示として例示されているが、表示されているメディアコンテンツ上に完全または部分的に重ねられてもよい。ユーザは、表示画面に提供された選択可能なオプションを選択することによって（例えば、メニューオプション、一覧オプション、アイコン、ハイパーリンク等）、あるいは、リモートコントロールまたは他のユーザ入力インターフェースまたはデバイス上の専用ボタン（例えば、「ガイド」ボタン）を押すことによって、メディア情報にアクセスする所望を示してもよい。ユーザの指示に応じて、メディアガイダンスアプリケーションは、枠内の時間およびチャンネル別、時間別、チャンネル別、メディア種類別、カテゴリ別（例えば、映画、スポーツ、ニュース、子供向け、または他の番組カテゴリ）、または、他の所定、ユーザ定義、あるいは他の体系化基準等、いくつかの方式のうちの１つで体系化されたメディア情報を伴う表示画面を提供してもよい。
【００２０】
図１は、単一の表示において異なる種類のメディアコンテンツへのアクセスをも可能にする、時間およびチャンネル別に配設された例示的な枠の番組一覧表示１００を示す。表示１００は、（１）各チャンネル／メディア種類識別子（列の中のセル）が利用可能な異なるチャンネルまたはメディア種類を識別する、チャンネル／メディアタイプ識別子１０４の列、および（２）各時間識別子（行の中のセル）が番組の時間帯を識別する時間識別子１０６の行を有する枠１０２を含んでもよい。枠１０２はまた、番組一覧１０８等の番組一覧のセルも含み、各一覧は、一覧の関連チャンネルおよび時間上に提供される番組のタイトルを提供する。ユーザ入力デバイスを用いて、ユーザは、ハイライト領域１１０を移動させることによって番組一覧を選択することができる。ハイライト領域１１０によって選択される番組一覧に関する情報は、番組情報領域１１２において提供されてもよい。領域１１２は、例えば、番組タイトル、番組内容、番組が提供される時間（該当する場合）、番組が放送されるチャンネル（該当する場合）、番組の評価、および他の所望の情報を含んでもよい。
【００２１】
スケジュールに従って提供される線形番組（ｌｉｎｅａｒ  ｐｒｏｇｒａｍｍｉｎｇ）へのアクセスを提供することに加えて、メディアガイダンスアプリケーションは、スケジュールに従って提供されない非線形（ｎｏｎ−ｌｉｎｅａｒ）番組へのアクセスも提供する。非線形番組は、オンデマンドメディアコンテンツ（例えば、ＶＯＤ）、インターネットコンテンツ（例えば、ストリーミングメディア、ダウンロード可能なメディア等）、ローカルに記憶されたメディアコンテンツ（例えば、デジタルビデオレコーダ（ＤＶＲ）、デジタルビデオディスク（ＤＶＤ）、ビデオカセット、コンパクトディスク（ＣＤ）上に記憶されたビデオコンテンツ等）、または時間に関係しない他のメディアコンテンツを含む、異なるメディアソースからのコンテンツを含んでもよい。オンデマンドコンテンツは、映画および特定のメディアプロバイダによって提供されるオリジナルメディアコンテンツの両方を含んでもよい（例えば、「Ｔｈｅ  Ｓｏｐｒａｎｏｓ」および「Ｃｕｒｂ  Ｙｏｕｒ  Ｅｎｔｈｕｓｉａｓｍ」を提供しているＨＢＯ  Ｏｎ  Ｄｅｍａｎｄ）。ＨＢＯ  ＯＮ  ＤＥＭＡＮＤは、Ｔｉｍｅ  Ｗａｒｎｅｒ  Ｃｏｍｐａｎｙ  Ｌ．Ｐ．らによって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，Ｉｎｃ．によって所有される商標である。インターネットコンテンツは、チャットセッションまたはウェブキャストのようなウェブイベント、あるいは、インターネットウェブサイトまたは他のインターネットアクセス（例えば、ＦＴＰ）を通して、ストリーミングメディアまたはダウンロード可能なメディアとしてオンデマンドで視聴可能なコンテンツを含んでもよい。
【００２２】
枠１０２は、オンデマンド一覧１１４、録画メディア一覧１１６、およびインターネットコンテンツ一覧１１８を含む非線形番組のための一覧を提供してもよい。異なる種類のメディアソースからのコンテンツのための一覧を組み合わせる表示は、「混合メディア」表示と呼ばれることもある。表示１００とは異なる、表示されてもよい一覧の種類の種々の順列は、ユーザ選択またはガイダンスアプリケーション定義に基づいてもよい（例えば、録画および放送一覧のみの表示、オンデマンドおよび放送一覧のみの表示、等）。例示されているように、一覧１１４、１１６、および１１８は、これらの一覧の選択が、それぞれ、オンデマンド一覧、録画一覧、またはインターネット一覧専用の表示へのアクセスを提供してもよいことを示すように、枠１０２内に表示される時間帯全体に及ぶものとして示されている。他の実施形態では、これらのメディア種類の一覧は、枠１０２に直接含まれてもよい。ユーザがナビゲーションアイコン１２０のうちの１つを選択することに応じて、付加的な一覧が表示されてもよい（ユーザ入力デバイス上の矢印キーを押すことは、ナビゲーションアイコン１２０を選択することと同様に表示に影響を及ぼしてもよい）。
【００２３】
表示１００はまた、ビデオ領域１２２、広告１２４、およびオプション領域１２６を含んでもよい。ビデオ領域１２２は、ユーザが、ユーザに現在利用可能であるか、利用可能になる予定であるか、または利用可能であった番組を表示および／プレビューすることを可能にしてもよい。ビデオ領域１２２のコンテンツは、枠１０２に表示される一覧のうちの１つに対応するか、または、それとは独立してもよい。ビデオ領域を含む枠表示は、ピクチャインガイド（ＰＩＧ）表示と呼ばれることもある。ＰＩＧ表示およびそれらの機能は、２００３年５月１３日発行のＳａｔｔｅｒｆｉｅｌｄらの米国特許第６，５６４，３７８号および２００１年５月２９日発行のＹｕｅｎらの米国特許第６，２３９，７９４号で、より詳細に説明されており、それらは全体を参照することによって本明細書に組み込まれる。ＰＩＧ表示は、本発明の他のメディアガイダンスアプリケーション表示画面に含まれてもよい。
【００２４】
広告１２４は、（例えば、購読番組に対する）視聴者のアクセス権に応じて、現在視聴可能であるか、将来視聴可能となるか、または決して視聴可能とはなり得ないメディアコンテンツの広告を提供してもよく、枠１０２内のメディア一覧のうちの１つ以上に対応するか、または無関係であってもよい。広告１２４はまた、枠１０２内に表示されるメディアコンテンツに関係するか、または無関係である製品またはサービスに対するものであってもよい。広告１２４は、選択可能であってもよく、メディアコンテンツに関するさらなる情報を提供するか、製品またはサービスに関する情報を提供するか、メディアコンテンツ、製品、またはサービスの購入を可能にするか、広告に関するメディアコンテンツを提供する等を行ってもよい。広告１２４は、ユーザのプロファイル／選好、監視されたユーザ活動、提供される表示の種類、または他の好適な標的化された広告基盤に基づいて標的化されてもよい。
【００２５】
広告１２４は、長方形またはバナー形状として示されているが、広告は、ガイダンスアプリケーション表示内において任意の好適な大きさ、形状、および場所に提供されてもよい。例えば、広告１２４は、枠１０２に対して水平方向に隣接する長方形として提供されてもよい。これは、パネル広告と呼ばれることもある。加えて、広告は、メディアコンテンツまたはガイダンスアプリケーション表示上に重ねられるか、または表示内に埋め込まれてもよい。広告はまた、テキスト、画像、回転画像、ビデオクリップ、または他の種類のメディアコンテンツを含んでもよい。広告は、ガイダンスアプリケーションを有するユーザ機器内、ユーザ機器に接続されたデータベース内、遠隔場所（ストリーミングメディアサーバを含む）内、または他の記憶手段上、あるいはこれらの場所の組み合わせに記憶されてもよい。メディアガイダンスアプリケーションに広告を提供することは、例えば、全体を参照することにより本明細書に組み込まれる、２００３年１月１７日出願のＫｎｕｄｓｏｎらの米国特許出願公報第２００３／０１１０４９９号、２００４年６月２９日発行のＷａｒｄ，ＩＩＩらの米国特許第６，７５６，９９７号、および２００２年５月１４日発行のＳｃｈｅｉｎらの米国特許第６，３８８，７１４号で、より詳細に論議されている。広告は、本発明の他のメディアガイダンスアプリケーション表示画面に含まれてもよいことが理解される。
【００２６】
オプション領域１２６は、ユーザが、異なる種類のメディアコンテンツ、メディアガイダンスアプリケーション表示、および／またはメディアガイダンスアプリケーション機能にアクセスすることを可能にしてもよい。オプション領域１２６は、表示１００（および本発明の他の表示画面）の一部であってもよく、あるいは画面上のオプションを選択すること、またはユーザ入力デバイス上の専用または割り当て可能ボタンを押すことにより、ユーザによって起動されてもよい。オプション領域１２６内の選択可能なオプションは、枠１０２内の番組一覧に関係付けられる機能に関してもよく、またはメインメニュー表示から利用可能なオプションを含んでもよい。番組一覧に関係付けられる機能は、番組の他の放送時間または受信方式の検索、番組の録画、番組のシリーズ録画の有効化、番組および／またはチャンネルをお気に入りとして設定、番組の購入、または他の機能を含んでもよい。メインメニュー表示から利用可能なオプションは、検索オプション、ＶＯＤオプション、ペアレンタルコントロールオプション、種々の種類の一覧表示へのアクセス、プレミアムサービスへの加入、ユーザのプロファイルの編集、ブラウザオーバーレイにアクセス、または他のオプションを含んでもよい。
【００２７】
メディアガイダンスアプリケーションは、ユーザの選好に基づいて個人化されてもよい。個人化されたメディアガイダンスアプリケーションは、ユーザが、メディアガイダンスアプリケーションによって個人化された「体験」を生成するように、表示および機能をカスタマイズすることを可能にする。この個人化された体験は、ユーザがこれらのカスタマイズを入力できるようにすることによって、および／または種々のユーザ選好を決定するようにメディアガイダンスアプリケーションがユーザ活動を監視することによって生成されてもよい。ユーザは、ログインすることによって、またはそうでなければ、ガイダンスアプリケーションに対して自身を識別することによって、個人化されたガイダンスアプリケーションにアクセスしてもよい。メディアガイダンスアプリケーションのカスタマイズは、ユーザプロファイルに従って作成されてもよい。カスタマイズは、プレゼンテーションスキーム（例えば、表示のカラースキーム、テキストのフォントサイズ等）、表示されるメディアコンテンツ一覧の態様（例えば、ＨＤＴＶ番組のみ、お気に入りチャンネル選択に基づいたユーザ指定の放送チャンネル、チャンネル表示の並び替え、推奨メディアコンテンツ等）、所望の録画機能（例えば、特定のユーザに対する録画またはシリーズ録画、録画品質等）、ペアレンタルコントロール設定、および他の所望のカスタマイズを変更することを含んでもよい。
【００２８】
メディアガイダンスアプリケーションは、ユーザがユーザプロファイル情報を提供することを可能にしてもよく、またはユーザプロファイル情報を自動的に編成してもよい。メディアガイダンスアプリケーションは、例えば、ユーザがアクセスするメディア、および／またはユーザがガイダンスアプリケーションと行ってもよい他の対話を監視してもよい。さらに、メディアガイダンスアプリケーションは、特定のユーザに関係付けられる他のユーザプロファイルの全体または一部を取得し（例えば、ｗｗｗ．ｔｖｇｕｉｄｅ．ｃｏｍ等のユーザがアクセスするインターネット上の他のウェブサイトから、ユーザがアクセスする他のメディアガイダンスアプリケーションから、ユーザがアクセスする他の双方向アプリケーションから、ユーザの手持ち式でバイスから等）、および／またはメディアガイダンスアプリケーションがアクセスしてもよい他のソースから、ユーザに関する情報を取得してもよい。結果として、ユーザの異なるデバイスにわたって、統一されたガイダンスアプリケーション体験をユーザに提供することができる。この種類のユーザ体験は、図４に関連して以下で詳細に説明される。付加的な個人化されたメディアガイダンスアプリケーション機能は、２００５年７月１１日出願のＥｌｌｉｓらの米国特許出願公開第２００５／０２５１８２７号、１９９９年１１月９日出願のＢｏｙｅｒらの米国特許出願第０９／４３７，３０４号、および２００２年２月２１日出願のＥｌｌｉｓらの米国特許出願公開第２００２／０１７４４３０号で、より詳細に説明されており、それらは全体を参照することにより本明細書に組み込まれる。
【００２９】
メディアガイダンスを提供するための別の表示配設が、図２に示されている。ビデオモザイク表示２００は、メディア種類、ジャンル、および／または他の体系化基準に基づいて体系化されるメディアコンテンツ情報に対する選択可能オプション２０２を含む。表示２００では、テレビ一覧オプション２０４が選択されており、したがって、放送番組一覧として、一覧２０６、２０８、２１０、および２１２を提供する。図１の一覧とは異なり、表示２００内の一覧は、メディアを説明する簡単なテキスト（例えば、番組のタイトル）およびアイコンに限定されない。むしろ、表示２００では、一覧は、カバーアート、メディアコンテンツからの静止画、ビデオクリップのプレビュー、メディアコンテンツからの生ビデオ、または、一覧によって説明されているメディアコンテンツをユーザに示す他の種類のメディアを含むグラフィック画像を提供してもよい。また、グラフィック一覧の各々は、一覧に関連したメディアコンテンツに関する詳細情報を提供するためにテキストを有してもよい。例えば、一覧２０８は、メディア部分２１４およびテキスト部分２１６を含む、１つより多くの部分を含んでもよい。メディア部分２１４および／またはテキスト部分２１６は、ビデオを全画面で視聴するように、またはメディア部分２１４に表示されるビデオに関係付けられる番組一覧を閲覧するように（例えば、ビデオが表示されるチャンネルの一覧を閲覧するように）、選択可能であってもよい。
【００３０】
表示２００内の一覧は、サイズが異なる（すなわち、一覧２０６は一覧２０８、２１０、および２１２より大きい）が、所望の場合、全一覧が同一サイズであってもよい。一覧は、メディアプロバイダの所望に応じて、またはユーザ選好に基づいて、ユーザに関心の度合いを示すか、または特定のコンテンツを強調するために、異なるサイズであるか、またはグラフィックが強調されてもよい。メディア一覧のグラフィックを強調するための種々のシステムおよび方法は、例えば、全体を参照することによって本明細書に組み込まれる２００５年１２月２９日出願のＹａｔｅｓの米国特許出願第１１／３２４，２０２号で論議されている。
【００３１】
ユーザは、ユーザ機器デバイスから、メディアコンテンツおよびメディアガイダンスアプリケーション（ならびに上記および下記で説明されるその表示画面）にアクセスしてもよい。図３は、例示的なユーザ機器デバイス３００の一般化実施形態を示す。ユーザ機器デバイスのより具体的な実装は、図４に関連して以下で論議される。ユーザ機器デバイス３００は、入出力（以降では「Ｉ／Ｏ」）経路３０２を介して、メディアコンテンツおよびデータを受信する。Ｉ／Ｏ経路３０２は、処理回路３０６および記憶装置３０８を含む制御回路３０４に、メディアコンテンツ（例えば、放送番組、オンデマンド番組、インターネットコンテンツ、および他のビデオまたはオーディオ）およびデータを提供する。制御回路３０４は、Ｉ／Ｏ経路３０２を使用して、コマンド、要求、および他の好適なデータを送受信するために使用されてもよい。Ｉ／Ｏ経路３０２は、制御回路３０４（具体的には処理回路３０６）を１つ以上の通信経路（以下で説明される）に接続してもよい。Ｉ／Ｏ機能は、これらの通信経路のうちの１つ以上によって提供されてもよいが、図面が複雑になり過ぎることを回避するために、図３では単一経路として示されている。
【００３２】
制御回路３０４は、１つ以上のマイクロプロセッサ、マイクロコントローラ、デジタル信号プロセッサ、プログラム可能な論理素子等に基づく処理回路等の任意の好適な処理回路３０６に基づいてもよい。いくつかの実施形態では、制御回路３０４は、メモリ（すなわち、記憶装置３０８）に記憶されたメディアガイダンスアプリケーションに対する命令を実行する。クライアントサーバベースの実施形態においては、制御回路３０４は、ガイダンスアプリケーションサーバまたは他のネットワークあるいはサーバと通信するために好適な通信回路を含んでもよい。通信回路は、ケーブルモデム、総合デジタル通信網（ＩＳＤＮ）モデム、デジタル加入者回線（ＤＳＬ）モデム、電話モデム、または他の機器との通信用無線モデムを含んでもよい。そのような通信は、インターネットまたは任意の他の好適な通信ネットワークあるいは経路を伴ってもよい（図４に関連してより詳細に説明される）。加えて、通信回路は、ユーザ機器デバイスのピアツーピア通信、または相互から遠隔の場所にあるユーザ機器デバイスの通信を可能にする回路を含んでもよい（以下でより詳細に説明される）。
【００３３】
メモリ（例えば、ランダムアクセスメモリ、読み取り専用メモリ、または任意の他の好適なメモリ）、ハードドライブ、光学ドライブ、または任意の他の好適な固定型または取外し可能な記憶デバイス（例えば、ＤＶＤレコーダ、ＣＤレコーダ、ビデオカセットレコーダ、または他の好適な記録デバイス）が、制御回路３０４の一部である記憶装置３０８として提供されてもよい。記憶装置３０８は、上記の種類の記憶デバイスのうちの１つ以上を含んでもよい。例えば、ユーザ機器デバイス３００は、ＤＶＲ（パーソナルビデオレコーダまたはＰＶＲと呼ばれることもある）用のハードドライブおよび２次記憶デバイスとしてのＤＶＤレコーダを含んでもよい。記憶装置３０８は、番組情報、ガイダンスアプリケーション設定、ユーザ選好またはプロファイル情報、またはガイダンスアプリケーションを操作する場合に使用される他のデータを含めて、本明細書で説明される種々の種類のメディアおよびガイダンスアプリケーションデータを記憶するために使用されてもよい。非揮発性メモリもまた、使用されてもよい（例えば、ブートアップルーチンおよび他の命令を起動するために）。
【００３４】
制御回路３０４は、１つ以上のアナログチューナ、１つ以上のＭＰＥＧ−２デコーダ、または他のデジタル復号回路、高解像度チューナ、または任意の他の好適な同調あるいはビデオ回路、もしくはそのような回路の組み合わせ等の、ビデオ生成回路および同調回路を含んでもよい。符号化回路（例えば、記憶のために、無線、アナログ、またはデジタル信号をＭＰＥＧ信号に変換するため）もまた、提供されてもよい。回路３０４はまた、メディアをユーザ機器３００の好ましい出力形式に上方変換および下方変換するためのスケーラ回路を含んでもよい。回路３０４はまた、デジタルおよびアナログ信号間で変換するためのデジタルからアナログへの変換回路およびアナログからデジタルへの変換回路を含んでもよい。同調および符合化回路は、メディアコンテンツを受信して表示、再生、または記録するために、ユーザ機器によって使用されてもよい。同調および符号化回路はまた、ガイダンスデータを受信するために使用されてもよい。例えば、同調、ビデオ生成、符号化、復号、スケーラ、およびアナログ／デジタル回路を含む、本明細書で説明される回路は、１つ以上の汎用または専門プロセッサ上で稼動するソフトウェアを使用して実装されてもよい。複数のチューナが、同時同調機能に対処するように提供されてもよい（例えば、視聴および録画機能、ピクチャインピクチャ（ＰＩＰ）機能、多重チューナ録画等）。記憶装置３０８が、ユーザ機器３００とは別個のデバイスとして提供される場合、同調および符合化回路（複数のチューナを含む）は、記憶装置３０８と関連付けられてもよい。
【００３５】
ユーザは、ユーザ入力インターフェース３１０を使用して制御回路３０４を制御してもよい。ユーザ入力インターフェース３１０は、リモートコントロール、マウス、トラックボール、キーパッド、キーボード、タッチ画面、タッチパッド、スタイラス入力、ジョイスティック、音声認識インターフェース、または他のユーザ入力インターフェース等の任意の好適なユーザインターフェースであってもよい。ディスプレイ３１２は、独立型でバイスとして提供されるか、またはユーザ機器デバイス３００の他の要素と一体化してもよい。ディスプレイ３１２は、モニタ、テレビ、モバイルデバイス用の液晶ディスプレイ（ＬＣＤ）、または視覚的画像を表示するための任意の他の好適な機器のうちの１つ以上であってもよい。いくつかの実施形態では、ディスプレイ３１２は、ＨＤＴＶ対応型であってもよい。スピーカ３１４は、ユーザ機器デバイス３００の他の要素と一体化して提供されてもよく、または独立型ユニットであってもよい。ディスプレイ３１２上に表示されるビデオおよび他のメディアコンテンツのオーディオ構成要素は、スピーカ３１４を通して再生されてもよい。いくつかの実施形態では、オーディオは、スピーカ３１４を介してオーディオを処理および出力する、受信機（図示せず）に配信されてもよい。
【００３６】
ガイダンスアプリケーションは、任意の好適なアーキテクチャを使用して実装されてもよい。例えば、それは、ユーザ機器デバイス３００上で完全に実装される、独立型アプリケーションであってもよい。そのようなアプローチでは、アプリケーションの命令はローカルに記憶され、アプリケーションによって使用するためのデータは、周期的にダウンロードされる（例えば、テレビチャンネルのＶＢＩから、帯域外フィードから、または別の好適なアプローチを使用して）。別の実施形態では、メディアガイダンスアプリケーションは、クライアントサーバベースのアプリケーションである。ユーザ機器デバイス３００上で実装される、シックまたはシンクライアントによって使用するためのデータは、ユーザ機器デバイス３００の遠隔にあるサーバに要求を発行することによって、オンデマンドで回収される。クライアントセンタサーバベースのガイダンスアプリケーションの一実施例では、制御回路３０４は、遠隔サーバによって提供されるウェブページを解釈する、ウェブブラウザを実行する。
【００３７】
さらに他の実施形態では、メディアガイダンスアプリケーションは、ダウンロードされ、インタープリタまたは仮想マシン（制御回路３０４によって実行される）によって解釈され、またはそうでなければ実行される。いくつかの実施形態では、ガイダンスアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）で符号化され、好適なフィードの一部として制御回路３０４によって受信され、制御回路３０４上で稼働するユーザエージェントによって解釈されてもよい。例えば、ガイダンスアプリケーションは、ＥＢＩＦウィジェットであってもよい。他の実施形態では、ガイダンスアプリケーションは、制御回路３０４によって実行されるローカル仮想マシンまたは他の好適なミドルウェアによって受信および実行される、一連のＪＡＶＡ（登録商標）ベースのファイルによって定義されてもよい。そのような実施形態のうちのいくつか（例えば、ＭＰＥＧ−２または他のデジタルメディア符号化すキームを採用するもの）では、ガイダンスアプリケーションは、例えば、番組のＭＰＥＧオーディオおよびビデオパケットを用いたＭＰＥＧ−２オブジェクトカルーセルにおいて符号化および伝送されてもよい。
【００３８】
図３のユーザ機器デバイス３００は、ユーザテレビ機器４０２、ユーザコンピュータ機器４０４、無線ユーザ通信デバイス４０６、または非携帯用ゲーム機等のメディアにアクセスするために好適な任意の他の種類のユーザ機器として、図４のシステム４００に実装することができる。簡素化を目的として、これらのデバイスは、本明細書では、総称してユーザ機器またはユーザ機器デバイスと呼ばれてもよい。メディアガイダンスアプリケーションが実装されるユーザ機器デバイスは、独立型デバイスとして機能してもよく、またはデバイスのネットワークの一部であってもよい。デバイスの種々のネットワーク構成が実装されてもよく、以下でさらに詳細に論議される。
【００３９】
ユーザテレビ機器４０２は、セットトップボックス、衛星放送用受信機（ＩＲＤ）、テレビセット、デジタル記憶デバイス、ＤＶＤレコーダ、ビデオカセットレコーダ（ＶＣＲ）、ローカルメディアサーバ、または他のユーザテレビ機器を含んでもよい。これらの装置のうちの１つ以上は、所望であれば単一のデバイスに統合されてもよい。ユーザコンピュータ機器４０４は、ＰＣ、ラップトップ、タブレット、ＷｅｂＴＶボックス、パーソナルコンピュータテレビ（ＰＣ／ＴＶ）、ＰＣメディアサーバ、ＰＣメディアセンタ、または他のユーザコンピュータ機器を含んでもよい。ＷＥＢＴＶは、Ｍｉｃｒｏｓｏｆｔ  Ｃｏｒｐ．によって所有される商標である。無線ユーザ通信デバイス４０６は、ＰＤＡ、携帯電話、携帯用ビデオプレーヤ、携帯用音楽プレーヤ、携帯用ゲーム機、または他の無線デバイスを含んでもよい。
【００４０】
ＰＣ用テレビチューナーカード、ＷｅｂＴＶ、および他のユーザ機器デバイスへのビデオの統合の出現に伴って、デバイスを上記のデバイスのうちの１つとして分類しようとすると、明確に区分できなくなることに留意されたい。実際、ユーザテレビ機器４０２、ユーザコンピュータ機器４０４、および無線ユーザ通信デバイス４０６の各々は、図３に関連して上記で説明されるシステム機能のうちの少なくともいくつかを利用してもよく、結果として、デバイス上で視聴可能なメディアコンテンツの種類に関する融通性を含む。例えば、ユーザテレビ機器４０２は、インターネット使用可能であって、インターネットコンテンツへのアクセスを可能にしてもよいが、ユーザコンピュータ機器４０４は、テレビ番組へのアクセスを可能にするチューナを含んでもよい。また、メディアガイダンスアプリケーションは、異なる種類のユーザ機器上に同じレイアウトを有してもよく、またはユーザ機器の表示能力に合わせられてもよい。例えば、ユーザコンピュータ機器上では、ガイダンスアプリケーションは、ウェブブラウザによってアクセスされるウェブサイトとして提供されてもよい。別の実施例では、ガイダンスアプリケーションは、無線ユーザ通信デバイス用に縮小されてもよい。
【００４１】
システム４００では、一般的には、各種類のユーザ機器装置が２つ以上存在するが、図面が複雑になり過ぎることを回避するために、各々１つだけが図４に示されている。加えて、各ユーザは、２つ以上の種類のユーザ機器デバイスを利用し（例えば、ユーザはテレビセットとコンピュータとを有してもよい）、また各種類のユーザ機器装置を２つ以上利用してもよい（例えば、ユーザはＰＤＡと携帯電話および／または複数のテレビセットを有してもよい）。
【００４２】
ユーザはまた、家庭内デバイスおよび遠隔装置にわたって一貫したメディアガイダンスアプリケーション設定を維持するために、種々の設定を設定してもよい。設定は、本明細書において説明される設定、ならびに、お気に入りのチャンネルや番組、番組を推奨するためにガイダンスアプリケーションが利用する番組の選好、表示選好、および他の望ましいガイダンス設定を含む。例えば、ユーザが、オフィスのパーソナルコンピュータ上で、例えば、ｗｗｗ．ｔｖｇｕｉｄｅ．ｃｏｍというウェブサイト上でチャンネルをお気に入りとして設定する場合、所望であれば、同じチャンネルがユーザの家庭内デバイス（例えば、ユーザテレビ機器およびユーザコンピュータ機器）ならびにユーザのモバイルデバイス上でお気に入りとして現れる。したがって、同じ種類または異なる種類のユーザ機器デバイスであるかどうかに関わらず、１台のユーザ機器デバイス上で行われた変更が、別のユーザ機器デバイス上のガイダンス体験を変更することができる。さらに、行われた変更は、ユーザによる設定入力、ならびにガイダンスアプリケーションによって監視されるユーザ活動に基づいてもよい。
【００４３】
ユーザ機器デバイスは、通信ネットワーク４１４に連結されてもよい。すなわち、ユーザテレビ機器４０２、ユーザコンピュータ機器４０４、および無線ユーザ通信デバイス４０６は、それぞれ、通信経路４０８、４１０、および４１２を介して、通信ネットワーク４１４に連結される。通信ネットワーク４１４は、インターネット、携帯電話ネットワーク、モバイルデバイス（例えば、Ｂｌａｃｋｂｅｒｒｙ）ネットワーク、ケーブルネットワーク、公衆交換電話ネットワーク、または他の種類の通信ネットワーク、あるいは通信ネットワークの組み合わせを含む１つ以上のネットワークであってもよい。ＢＬＡＣＫＢＥＲＲＹは、Ｒｅｓｅａｒｃｈ  Ｉｎ  Ｍｏｔｉｏｎ  Ｌｉｍｉｔｅｄ  Ｃｏｒｐ．によって所有されるサービスマークである。経路４０８、４１０、および４１２は、別々または一緒に、衛星放送経路、光ファイバ経路、ケーブル経路、インターネット通信をサポートする経路（例えば、ＩＰＴＶ）、フリースペース接続（例えば、放送または他の無線信号用）、または任意の他の好適な有線あるいは無線通信経路、もしくはそのような経路の組み合わせ等の１つ以上の通信経路を含んでもよい。経路４１２は、図４に示された例示的実施形態において、無線経路であることを示すために破線で描かれ、経路４０８および４１０は、有線経路であることを示すために実線で描かれている（しかし、これらの経路は、所望であれば無線経路であってもよい）。ユーザ機器デバイスとの通信は、これらの通信経路のうちの１つ以上によって提供されてもよいが、図４では、図面が複雑になり過ぎることを回避するために単一経路として示されている。
【００４４】
通信経路は、ユーザ機器デバイスの間には描かれていないが、これらのデバイスは、経路４０８、４１０、および４１２に関して上で説明されるもの、ならびにＵＳＢケーブル、ＩＥＥＥ  １３９４ケーブル、無線経路（例えば、Ｂｌｕｅｔｏｏｔｈ（登録商標）、赤外線、ＩＥＥＥ  ８０２−１１ｘ等）等の他の短距離ポイントツーポイント通信経路、あるいは有線または無線経路を介した他の短距離通信等の通信経路を介して、相互に直接通信してもよい。ＢＬＵＥＴＯＯＴＨは、Ｂｌｕｅｔｏｏｔｈ  ＳＩＧ，ＩＮＣ．によって所有される認証マークである。ユーザ機器デバイスはまた、通信ネットワーク４１４を介した間接的経路を通して、相互に直接通信してもよい。
【００４５】
システム４００は、それぞれ通信経路４２０および４２２を介して通信ネットワーク４１４に連結されるメディアコンテンツソース４１６およびメディアガイダンスデータソース４１８を含む。経路４２０および４２２は、経路４０８、４１０、および４１２に関して上記で説明される通信経路のうちのいずれかを含んでもよい。メディアコンテンツソース４１６およびメディアガイダンスデータソース４１８との通信は、１つ以上の通信経路上で交信されてもよいが、図４では、図面が複雑になり過ぎることを回避するために単一経路として示されている。加えて、メディアコンテンツソース４１６およびメディアガイダンスデータソース４１８の各々が２つ以上あってもよいが、図４では、図面が複雑になり過ぎることを回避するために各々１つだけが示されている。（これらのソースの各々の異なる種類を以下で論議する。）所望であれば、メディアコンテンツソース４１６とメディアガイダンスデータソース４１８とは、１つのソースデバイスとして統合されてもよい。ソース４１６および４１８と、ユーザ機器デバイス４０２、４０４および４０６との間の通信は、通信ネットワーク４１４を通したものとして示されているが、いくつかの実施形態では、ソース４１６および４１８は、経路４０８、４１０、および４１２に関連して上記で説明されるもの等の通信経路（図示せず）を介して、ユーザ機器デバイス４０２、４０４、および４０６と直接通信してもよい。
【００４６】
メディアコンテンツソース４１６は、テレビ配信施設、ケーブルシステムヘッドエンド、衛星放送配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のメディアコンテンツプロバイダを含む、１つ以上の種類のメディア配信機器を含んでもよい。ＮＢＣは、Ｎａｔｉｏｎａｌ  Ｂｒｏａｄｃａｓｔｉｎｇ  Ｃｏｍｐａｎｙ，Ｉｎｃ．によって所有される商標であり、ＡＢＣは、ＡＢＣ，ＩＮＣ．によって所有される商標であり、ＨＢＯは、Ｈｏｍｅ  Ｂｏｘ  Ｏｆｆｉｃｅ，Ｉｎｃ．によって所有される商標である。メディアコンテンツソース４１６は、メディアコンテンツの発信者（例えば、テレビ放送会社、ウェブキャストプロバイダ等）であってもよく、またはメディアコンテンツの発信者（例えば、オンデマンドメディアコンテンツプロバイダ、ダウンロード用放送番組のビデオコンテンツのインターネットプロバイダ等）でなくてもよい。メディアコンテンツソース４１６は、ケーブルソース、衛星放送プロバイダ、オンデマンドプロバイダ、インターネットプロバイダ、または他のメディアコンテンツプロバイダを含んでもよい。メディアコンテンツソース４１６はまた、ユーザ機器デバイスのうちのいずれかから遠隔の場所にある、異なる種類のメディアコンテンツ（ユーザによって選択されるビデオコンテンツを含む）を記憶するために使用される、遠隔メディアサーバを含んでもよい。メディアコンテンツの遠隔記憶のため、および遠隔に記憶されたメディアコンテンツをユーザ機器に提供するためのシステムおよび方法は、その全体を参照することにより本明細書に組み込まれる、１９９９年６月１１日出願のＥｌｌｉｓらの米国特許出願第０９／３３２，２４４号で、より詳細に論議されている。
【００４７】
メディアガイダンスデータソース４１８は、メディア一覧、メディア関連情報（例えば、放送時間、放送チャンネル、メディアタイトル、メディア内容、評価情報（例えば、ペアレンタルコントロール評価、批評家の評価等）、ジャンルまたはカテゴリ情報、俳優の情報、放送会社のロゴデータまたはプロバイダのロゴ等）、メディア形式（例えば、標準解像度、高解像度等）、広告情報（例えば、テキスト、画像、メディアクリップ等）、オンデマンド情報、および、ユーザが所望のメディア選択間でナビゲートし、検索するために役立つ、任意の他の種類のガイダンスデータ等の、メディアガイダンスデータを提供してもよい。
【００４８】
メディアガイダンスアプリケーションデータは、任意の好適なアプローチを使用して、ユーザ機器デバイスに提供されてもよい。いくつか実施形態では、ガイダンスアプリケーションは、データフィード（例えば、継続フィード、トリクルフィード、または、チャンネルの垂直帰線区間内のデータ）を介して番組ガイドデータを受信する独立型の双方向テレビ番組ガイドであってもよい。番組予定のデータおよび他のガイダンスデータは、テレビチャンネルの側帯上で、テレビチャンネルの垂直帰線区間内において、帯域内デジタル信号を使用して、帯域外デジタル信号を使用して、または他の任意の好適なデータ伝送技術によってユーザ機器に提供されてもよい。番組予定データおよび他のガイダンスデータは、複数のアナログまたはデジタル式テレビチャンネル上でユーザ機器に提供されてもよい。番組予定データおよび他のガイダンスデータは、任意の好適な頻度で（例えば、連続して、毎日、ユーザ指定期間で、システム指定期間で、ユーザ機器からの要求に応じて等）、ユーザ機器に提供されてもよい。いくつかのアプローチでは、メディアガイダンスデータソース４１８からのガイダンスデータは、クライアントサーバアプローチを使用して、ユーザの機器に提供されてもよい。例えば、ユーザの機器上に存在するガイダンスアプリケーションクライアントは、必要な時にガイダンスデータを取得するために、ソース４１８とのセッションを開始してもよい。メディアガイダンスデータソース４１８は、ユーザ機器デバイス４０２、４０４、および４０６に、メディアガイダンスアプリケーション自体、またはメディアガイダンスアプリケーション用のソフトウェア更新を提供してもよい。
【００４９】
メディアガイダンスアプリケーションは、例えば、ユーザ機器デバイス上に実装された独立型アプリケーションであってもよい。他の実施形態では、メディアガイダンスアプリケーションは、クライアントがユーザ機器デバイス上に存在する場合のみ、クライアントサーバアプリケーションであってもよい。例えば、メディアガイダンスアプリケーションは、部分的にユーザ機器デバイス３００の制御回路３０４上のクライアントアプリケーションとして、および、部分的に遠隔サーバ上にサーバアプリケーションとして（例えば、メディアガイダンスデータソース４１８）実装されてもよい。ガイダンスアプリケーション表示は、メディアガイダンスデータソース４１８によって生成されて、ユーザ機器デバイスに伝送されてもよい。メディアガイダンスデータソース４１８はまた、ユーザ機器上での記憶のためにデータを伝送してもよく、次いで、ユーザ機器は、制御回路によって処理される命令に基づいて、ガイダンスアプリケーション表示を生成する。
【００５０】
メディアガイダンスシステム４００は、いくつかのアプローチまたはネットワーク構成を図示することを目的とし、それにより、ユーザ機器デバイス、ならびにメディアコンテンツおよびガイダンスデータのソースは、メディアにアクセスし、メディアガイダンスを提供する目的で相互に通信してもよい。本発明は、これらのアプローチのうちのいずれか１つまたは一部において、またはメディアを送達し、メディアガイダンスを提供するための他のアプローチを採用するシステムにおいて適用されてもよい。  以下の３つのアプローチは、図４の一般化実施例の具体的例示を提供する。
【００５１】
１つのアプローチでは、ユーザ機器デバイスは、ホームネットワーク内で相互に通信してもよい。ユーザ機器デバイスは、上記で説明される短距離ポイントツーポイント通信スキームを介して、ホームネットワーク上に提供されたハブまたは他の同様のデバイスを通した間接的経路を介して、または通信ネットワーク４１４を介して、相互に直接通信することができる。１つの家庭内の複数の個人のそれぞれが、ホームネットワーク上の異なるユーザ機器デバイスを操作してもよい。結果として、種々のメディアガイダンス情報または設定が、異なるユーザ機器デバイス間で通信されることが望ましくてもよい。例えば、２００５年７月１１日出願のＥｌｌｉｓらの米国特許出願第１１／１７９，４１０号でさらに詳しく説明されているように、ホームネットワーク内の異なるユーザ機器デバイス上で、ユーザが一貫したメディアガイダンスアプリケーション設定を維持することが望ましくてもよい。ホームネットワーク内の異なる種類のユーザ機器デバイスはまた、メディアコンテンツを伝送するように相互に通信してもよい。例えば、ユーザは、メディアコンテンツを、ユーザコンピュータ機器から、携帯用ビデオプレーヤまたは携帯用音楽プレーヤに伝送してもよい。
【００５２】
第２のアプローチでは、ユーザは、複数の種類のユーザ機器を有してもよく、それによって、メディアコンテンツにアクセスしてメディアガイダンスを取得する。例えば、一部のユーザは、家庭内およびモバイルのデバイスによってアクセスされるホームネットワークを有してもよい。ユーザは、遠隔デバイス上に実装されたメディアガイダンスアプリケーションを介して、家庭内デバイスを制御してもよい。例えば、ユーザは、オフィスのパーソナルコンピュータ、または、ＰＤＡあるいはウェブ対応携帯電話等のモバイルデバイスを介して、ウェブサイト上のオンラインメディアガイダンスアプリケーションにアクセスしてもよい。ユーザは、オンラインガイダンスアプリケーション上の種々の設定を設定して（例えば、録画、リマインダ、または他の設定）ユーザの家庭内機器を制御してもよい。オンラインガイドは、直接、またはユーザの家庭内機器上のメディアガイダンスアプリケーションと通信することによって、ユーザの機器を制御してもよい。ユーザ機器デバイスが相互から遠隔の場所にある、ユーザ機器デバイスの通信のための種々のシステムおよび方法は、例えば、その全体を参照することにより本明細書に組み込まれる、２００４年８月２６日出願のＥｌｌｉｓらの米国特許出願第１０／９２７，８１４号で論議されている。
【００５３】
第３のアプローチでは、家庭内外のユーザ機器デバイスのユーザは、メディアコンテンツソース４１６と直接通信してメディアコンテンツにアクセスするために、それらのメディアガイダンスアプリケーションを使用することができる。具体的には、家庭内で、ユーザテレビ機器４０４およびユーザコンピュータ機器４０６のユーザは、メディアガイダンスアプリケーションにアクセスして、望ましいメディアコンテンツ間でナビゲートし、検索してもよい。ユーザはまた、無線ユーザ通信デバイス４０６を使用して家庭の外でメディアガイダンスアプリケーションにアクセスし、望ましいメディアコンテンツ間でナビゲートし、検索してもよい。
【００５４】
メディアコンテンツの考察は、ビデオコンテンツに焦点を合わせているが、メディアガイダンスの原理は、音楽、画像等の他の種類のメディアコンテンツに適用できることが理解されるであろう。
【００５５】
いくつかの実施形態では、ユーザは、オーディオアセットを管理するために、メディアガイダンスアプリケーションまたは他のアプリケーションを利用してもよい。例えば、オーディオアセットは、個人用プレイリスト、公開プレイリスト、インターネットラジオ、ウェブキャスト、リアルタイムストリーム、またはオーディオアセットの任意の他の好適なソースの一部であってもよい。オーディオアセットという用語は、本明細書では、音を生成するための時間を通した空気圧の変化の２進表現として定義される。ある実施形態では、オーディオアセットは、デジタルオーディオアセットであってもよい。本発明の目的で、オーディオアセットは、ＭＰ３、ＷＡＶ、リアルタイムオーディオ放送、Ｄｏｌｂｙ  Ｓｔｅｒｅｏ、Ｄｏｌｂｙ  Ｄｉｇｉｔａｌ、パルス符号変調（Ｐｕｌｓｅ  Ｃｏｄｅ  Ｍｏｄｕｌａｔｉｏｎ／ＰＣＭ）、Ａｕｄｉｏ  Ｉｎｔｅｒｃｈａｎｇｅ  Ｆｉｌｅ  Ｆｏｒｍａｔ（ＡＩＦＦ）、Ａｄａｐｔｉｖｅ  Ｔｒａｎｓｆｏｒｍ  Ａｃｏｕｓｔｉｃ  Ｃｏｄｉｎｇ（ＡＴＲＡＣ）、Ｄｉｇｉｔａｌ  Ｔｈｅａｔｒｅ  Ｓｙｓｔｅｍ（ＤＴＳ）、Ｓｏｎｙ  Ｄｙｎａｍｉｃ  Ｄｉｇｉｔａｌ  Ｓｏｕｎｄ（ＳＤＤＳ）、Ｗｉｎｄｏｗｓ（登録商標）  Ｍｅｄｉａ  Ａｕｄｉｏ  （ＷＭＡ）、Ｔｈｅ  Ｔｒｕｅ  Ａｕｄｉｏ  Ｌｏｓｓｌｅｓｓ  Ｃｏｄｅｃ（ＴＴＡ）、Ｆｒｅｅ  Ｌｏｓｓｌｅｓｓ  Ａｕｄｉｏ  Ｃｏｄｅｃ（ＦＬＡＣ）、Ａｄｖａｎｃｅｄ  Ａｕｄｉｏ  Ｃｏｄｉｎｇ（ＡＡＣ）、Ａｐｐｌｅ  Ｌｏｓｓｌｅｓｓ  （ＡＬＡＣ）、ＯｇｇＰＣＭ、または任意の他の好適なオーディオ形式等の種々の形式のデータを含んでもよい。
【００５６】
具体的には、ユーザは、ユーザ機器４０２、４０４、または４０６、あるいは任意の他の好適なユーザ機器を用いて、オーディオアセットの選択および再生を制御してもよい。例えば、ユーザは、リモートコントロールを使用して、テレビに表示された個人用プレイリストからオーディオアセットを制御してもよい。別の実施例として、ユーザは、ｑｗｅｒｔｙキーボード、マウス、または両方の組み合わせを使用して、コンピュータ画面上に表示されたオーディオアセットのリアルタイムストリームを制御してもよい。さらに別の実施例として、ユーザは、キーパッド、タッチスクリーン、トラックボール、またはスクロールホイールを使用して、無線通信デバイス上のスポーツ放送を制御してもよい。以前の実施例のそれぞれにおける、オーディオアセットおよび制御機構は、組み合わせられるか、または入れ替えられてもよい。
【００５７】
オーディオアセットと関連付けられるデータは、ユーザ機器上に直接記憶されてもよく、またはメディアコンテンツソース４１６によって遠隔で提供されてもよい。具体的には、オーディオアセットは、インターネットソースから等のオーディオアセットのリアルタイムストリームとして、メディアコンテンツソースによって提供されてもよく、またはオーディオアセットは、メディアコンテンツソースと通信しているサーバからアクセスされてもよい。例えば、ユーザは、遠隔サーバからローカル記憶装置３０８（図３）へインターネット上で音楽ファイルアセットをダウンロードしてもよい。別の実施例として、ユーザは、通信ネットワーク４１４を介して、スポーツコンテンツプロバイダから生スポーツ放送をストリームしてもよい。
【００５８】
メディアガイダンスアプリケーションは、オーディオアセットを、オーディオアセットの再生中に再生するための関連視覚メディアコンテンツと関連付けて、オーディオアセットによって提供される聴覚体験に加えて、魅力的な視覚体験をユーザに提供するために使用されてもよい。例えば、ユーザが再生するためにＢｉｌｌｙ  Ｉｄｏｌによる「Ｗｈｉｔｅ  Ｗｅｄｄｉｎｇ」という曲を選択すると、「Ｗｈｉｔｅ  Ｗｅｄｄｉｎｇ」が演奏されるビデオゲームＲｏｃｋ  Ｂａｎｄからのクリップを表示するＹｏｕＴｕｂｅビデオが、曲と関連付けられ、「Ｗｈｉｔｅ  Ｗｅｄｄｉｎｇ」の再生中に表示されてもよい。視覚メディアコンテンツという用語は、本明細書では、電子的に捕捉されている人間が知覚可能なコンテンツとして定義される。視覚メディアコンテンツは、ビデオコンテンツ、ビデオクリップ、映画、映画の場面、記事、広告、チャットセッション、ビデオゲーム、テレビ番組、音楽ビデオ、有料番組、オンデマンド番組（ビデオオンデマンド（ＶＯＤ）システムのように）、インターネットコンテンツ（例えば、ストリーミングメディア、ダウンロード可能なメディア、ウェブキャスト等）、アルバムアート、写真、および当業者に公知である任意の他の好適な種類の視覚メディアコンテンツを含んでもよい。
【００５９】
ユーザがオーディオアセットを選択するか、またはオーディオアセットが、例えば、プレイリストから自動的に選択されると、選択されたオーディオアセットと関連付けられるメタデータに関係付けられるメタデータを有する視覚メディアコンテンツを識別するために検索が行われてもよい。検索は、ユーザ機器デバイス３００（図３）の制御回路３０４によって実行されてもよい。例えば、制御回路３０４（図３）は、特定のオーディオアセットのタイトルに合致するタイトルメタデータについて、ソースを検索してもよい。例えば、Ｍｉｃｈａｅｌ  Ｊａｃｋｓｏｎによるオーディオアセット「Ｔｈｒｉｌｌｅｒ」が再生のために選択されると、制御回路３０４による検索は、タイトル「Ｔｈｒｉｌｌｅｒ」が「Ｔｈｒｉｌｌｅｒ」の音楽ビデオに対するタイトルメタデータに合致するという発見をもたらしてもよい。別の実施例として、検索は、オーディオアセットアーティストメタデータ「Ｍｉｃｈａｅｌ  Ｊａｃｋｓｏｎ」を、Ｍｉｃｈａｅｌ  Ｊａｃｋｓｏｎがムーンウォークしているビデオクリップに対応するアーティストメタデータと合致させてもよい。別の実施例として、検索は、オーディオアセットと関連付けられるデータに基づいて行われてもよい。ユーザは、１９７８年に録音されたオーディオアセット（例えば、Ｅｒｉｃ  Ｃｌａｐｔｏｎによる「Ｌａｙ  Ｄｏｗｎ  Ｓａｌｌｙ」）を選択してもよい。制御回路３０４は、ソースを検索し、１９７８年に行われたスポーツイベントに対応する視覚メディアコンテンツを回収してもよい。例えば、制御回路３０４による検索の結果として、Ｎｅｗ  Ｙｏｒｋ  ＹａｎｋｅｅｓとＬｏｓ  Ａｎｇｅｌｅｓ  Ｄｏｄｇｅｒｓとの間の１９７８年ワールドシリーズのビデオクリップが識別されてもよい。１９７８年ワールドシリーズの視覚メディアコンテンツは、Ｅｒｉｃ  Ｃｌａｐｔｏｎによるオーディオアセット「Ｌａｙ  Ｄｏｗｎ  Ｓａｌｌｙ」と関連付けられ、「Ｌａｙ  Ｄｏｗｎ  Ｓａｌｌｙ」の再生中に表示されてもよい。ある実施形態では、ユーザは、検索が返信する結果に対する選好を定義してもよい。例えば、ユーザは、特定のオーディオアセットのタイトルおよびアーティストのみに基づいて、検索が行われることを特定することができる。
【００６０】
視覚メディアコンテンツについて検索されるソースは、データベース、インターネット、ハードドライブ、遠隔デバイス、モバイルデバイス、サーバ、または任意の他の好適なソース等の視覚メディアコンテンツを提供することが可能な任意の種類のソースであってもよい。識別された視覚コンテンツは、オーディオアセットと関連付けられ、オーディオアセットの再生中にユーザ機器上に表示されてもよい。具体的には、視覚コンテンツは、ホットリンク、タグ、識別子を作成することによって、視覚コンテンツおよびオーディオアセットの一方または両方をデータベースに転送することによって、または任意の他の好適な関連付け方法で、オーディオアセットと関連付けられてもよい。例えば、視覚メディアコンテンツ（例えば、テレビ番組）が、特定のオーディオアセットを含むことがわかると、テレビ番組をダウンロードすることができるサーバへのリンクが、オーディオアセットと結び付けられるメタデータとして保存されてもよい。別の実施例として、視覚メディアコンテンツ、例えば、映画クリップが、特定のオーディオアセットを含むことがわかると、映画クリップは、映画クリップが特定のオーディオアセットと関係付けられることを示す識別子とともに、データベースに保存されてもよい。さらに別の実施例では、視覚メディアコンテンツが識別されると、視覚メディアコンテンツは、オーディオアセットと関係付けられるディレクトリまたはフォルダの中でハードドライブに保存されてもよい。
【００６１】
図５は、本発明の別の実施形態による、プレイリストメニュー画面５００の例示的な表示である。画面５００は、プレイリスト５１０、オーディオアセット５１２、再生制御５２０、および表示領域５３０を含んでもよい。画面５００は、広告１２４（図１）と同様の機能性を有してもよい広告５４０を含んでもよい。簡潔にするために、広告５４０の機能性の考察は省略されているが、広告１２４（図１）と同じかまたは同様の機能性を包含すると理解されるべきである。表示領域５３０は、部分的な画面表示として図５に図示されているが、表示領域は、（図７に関して以下で説明されるように）画面全体を覆ってもよく、または複数の画面領域を含んでもよい。
【００６２】
プレイリスト５１０は、音楽、ポッドキャスト、インタネットコンテンツ、リアルタイムフィード、または任意の他の好適なオーディオアセット等のオーディオアセットの一覧を含んでもよい。プレイリスト５１０は、多くの異なる種類のオーディオアセットの組み合わせを含んでもよい。例えば、プレイリスト５１０は、音楽トラックを含んでもよく、その後の地元高校のバスケットボールの試合のウェブキャストが続き、その後に米国民に対する大統領の演説の録音が続く。ユーザは、プレイリストの中の種々のオーディオアセットをソートし、整理し、ランク付けするためにプレイリスト５１０を使用してもよい。例えば、ユーザは、第１のフォルダの中で音楽トラックを、第２のフォルダの中でオーディオブックを編成してもよい。また、ユーザは、再生選好、所望の再生の順序、再生頻度、または任意の他の好適なランキング基準等の種々の基準に基づいて、オーディオアセットをランク付けしてもよい。プレイリスト５１０は、シャッフルモード、自動再生、またはユーザによって選択される可能性が最も高い次のオーディオアセットに基づく再生等の高度なオプションを提供してもよい。例えば、ユーザが録音アーティストのＢｏｎ  Ｊｏｖｉによるオーディオアセットを選択すると、プレイリスト５１０は、次に再生されるべきＢｏｎ  Ｊｏｖｉによって録音された別のオーディオアセットを自動的に選択してもよい。加えて、プレイリスト５１０は、メドレーの中の曲の一部または全てが再生されてもよい、Ｂｏｎ  Ｊｏｖｉの曲のメドレーを作成してもよい。プレイリストおよびそれらの機能性は、２００６年１１月１０日出願の米国特許出願公報第２００８／０１１５１７３号および２００６年１１月１０日出願の米国特許出願公報第２００８／０１１４７９４号で、より詳細に説明されており、それらは全体を参照することによって本明細書に組み込まれる。
【００６３】
ユーザは、プレイリスト５１０からオーディオアセットを選択してもよい。具体的には、ユーザは、マウスでクリックすることによって、オーディオアセット上でカーソルをナビゲートし、「入力」、「選択」、または「ＯＫ」ボタンを押すことによって、タッチスクリーン上でオーディオアセットに触れることによって、またはオーディオアセットを選択するための任意の他の好適な方法で、オーディオアセットを選択してもよい。図５に描写されるように、オーディオアセット５１２「Ｓｉｎｎｅｒ  Ｍａｎ−Ｎｉｎ  Ｓｉｍｏｎｅ」がハイライトされる。オーディオアセットのユーザ選択に応じて、視覚メディアコンテンツが表示領域５３０中に自動的に表示されてもよい。例えば、ユーザが再生のために「Ｓｉｎｎｅｒ  Ｍａｎ−Ｎｉｎａ  Ｓｉｍｏｎｅ」を選択すると、Ｎｉｎａ  Ｓｉｍｏｎｅによる「Ｓｉｎｎｅｒ  Ｍａｎ」という曲を含む映画「Ｃｅｌｌｕｌａｒ（２００４）」からの映画クリップが、表示領域５３０中に表示されてもよい。オーディオアセットの選択およびプレイリストメニュー５００の制御は、例えば、ユーザ機器４０２、４０４、または４０６（図４）等のユーザ機器を使用することによって、実行されてもよい。ある実施形態では、特定のオーディオアセットのユーザ選択に応じて、プロンプトが表示されてもよい。具体的には、プロンプトは、ユーザからの情報を提供または要求してもよい。例えば、ユーザが、検索中にいずれの視覚メディアコンテンツも識別されないオーディオアセットを選択した後、視覚メディアコンテンツが見つからなかったことを示すプロンプトが表示されてもよい。加えて、プロンプトは、ユーザがコンテンツを特定のアセットと関連付けたいか、および／またはメディアコンテンツをアップロードしたいかどうかを要求してもよい。ある実施形態では、ユーザは、特定のアセットと関連付けるために、視覚メディアコンテンツを手動で選択してもよい。例えば、ユーザは、特定のオーディオアセットと関連付けられ、その再生中に表示される家族写真のモンタージュをアップロードしてもよい。
【００６４】
ある実施形態では、視覚メディアコンテンツが特定のオーディオアセットの再生中にすでに表示されている時を示すプロンプトが表示されてもよい。例えば、ユーザが視覚メディアコンテンツを選択するか、または視覚メディアコンテンツが、特定のオーディオアセットとともに表示されるように自動的に選択され、その視覚メディアコンテンツが以前に表示されている場合に、プロンプトは、視覚メディアコンテンツがすでに視聴されていることをユーザに通知してもよく、ユーザが、表示される異なる視覚メディアコンテンツを選択したいかどうかを要求してもよい。ある実施形態では、特定のオーディオアセットについて表示された視覚メディアコンテンツの履歴が、制御回路３０４の記憶装置３０８に記憶されてもよい。具体的には、視覚メディアコンテンツ履歴データは、メディアガイダンス機能を向上させるために制御回路３０４によって使用されてもよい。例えば、視覚メディアコンテンツ履歴データは、どのようなメディアが再生されたかをユーザに示すため、お気に入りリストを作成するため、ユーザが気に入るかもしれないオーディオアセットの他の視覚メディアコンテンツを決定するため、または履歴データの任意の他の好適な使用で、使用されてもよい。
【００６５】
ある実施形態では、オーディオアセットは、処理回路３０６によって自動的に選択されてもよい。例えば、プレイリスト５１０は、以前のオーディオアセットが終了した後に、リストの中の次のオーディオアセットに続くように構成されてもよい。例えば、「Ｆｉｅｌｄｓ  ｏｆ  Ｇｏｌｄ−Ｓｔｉｎｇ」が再生を終了した後、オーディオアセット５１２「Ｓｉｎｎｅｒ  Ｍａｎ−Ｎｉｎａ  Ｓｉｍｏｎｅ」が、再生のために自動的に選択されてもよい。ある実施形態では、自動再生は、プレイリストの中で設定された順序で開始しなくてもよく、むしろランダムに開始してもよい。
【００６６】
再生制御５２０は、選択されたオーディオアセットの再生を制御するために使用されてもよく、または、プレイリスト５１０を通してナビゲートするためにも使用されてもよい。再生制御５２０はまた、表示領域５３０中に表示される視覚メディアコンテンツを制御するために使用されてもよく、または、視覚メディアコンテンツを制御するために別個の制御が提供されてもよい。
【００６７】
ある実施形態では、プレイリスト５１０等のプレイリスト以外の機構が、オーディオアセットにアクセスし、制御するために使用されてもよい。例えば、オーディオアセットは、インターネットブラウザから、またはメディアガイダンスアプリケーションから直接、選択および制御されてもよい。別の実施例として、ラジオ局（例えば、インターネットラジオ）が、例えば、ＤＪまたはラジオソフトウェアによって、自動的に楽曲を提供してもよい。この実施例では、選択および再生制御は、ユーザによって、ラジオ局によって、または両方の組み合わせで行われてもよい。
【００６８】
いくつかの実施形態では、オーディオアセットが選択されると、オーディオアセットの少なくとも一部分を含む視覚メディアコンテンツを示すプロンプトまたはメニューが随意的に表示されてもよい。図６は、本発明の別の実施形態による関連メディアメニュー画面６００の例示的な表示である。具体的には、オーディオアセット５１２（図５）の選択は、ユーザを関連メディアメニュー画面６００にナビゲートしてもよい（または関連メディアメニュー画面６００の表示を引き起こしてもよい）。例えば、ユーザがオーディオアセットを選択した後、関連メディアメニュー画面６００は、表示するための視覚メディアコンテンツを選択するようにユーザに要求するプロンプトとして現れてもよい。別の実施例では、関連メディアメニュー画面６００は、ユーザプレイリストに隣接するウィンドウとして表示されてもよく、ユーザがオーディオアセットにスクロールするか、またはオーディオアセットを選択する度に、視覚メディアコンテンツとともに自動的に更新されてもよい。関連メディアメニュー画面６００は、現在のアセット情報領域６１０、関連メディア領域６２０、視覚メディアコンテンツ６２２、関連メディアコンテンツコラム６３０、６４０、６５０、６６０、およびユーザ注文オプション領域６７０を含んでもよい。
【００６９】
ある実施形態では、関連メディア領域６２０は、画面６００の背景に表示されている視覚メディアコンテンツ６８０の上に重ねられてもよい。例えば、ユーザが視覚メディアコンテンツを視聴している場合に、関連メディア画面６２０は、ユーザが同時に視覚メディアコンテンツ６８０を見るとともに、関連メディア領域６２０を閲覧することを可能にするオーバーレイ（例えば、透明オーバーレイ）として現れてもよい。
【００７０】
現在のアセット情報領域６１０は、現在の選択されたアセットと関連付けられる情報を提供してもよい。例えば、現在のアセット情報領域６１０は、現在のアセットと関係付けられるアセットタイトル、アーティスト、年、再生時間、または任意の他の情報を表示してもよい。図６では、現在のアセット情報領域は、画面５００（図５）から選択されたオーディオアセット５１２のタイトル（「Ｓｉｎｎｅｒ  Ｍａｎ」）およびアーティスト（「Ｎｉｎａ  Ｓｉｍｏｎｅ」）を表示する。
【００７１】
ユーザが関連メディアメニュー画面６００にナビゲートすると、制御回路３０４（図３）は、メモリから（ローカルまた遠隔で）、選択されたオーディオアセットの少なくとも一部分を含む関連視覚メディアコンテンツのリストを回収してもよい。例えば、制御回路は、検索中に識別される、選択されたオーディオアセットに関係付けられる視覚メディアコンテンツを含有する記憶装置３０８（図３）から、データベースにアクセスしてもよい。制御回路３０４は、視覚メディアコンテンツと関連付けられる識別子を読み取ることによって、視覚メディアコンテンツと関連付けられる特定のメタデータを識別することによって、または視覚メディアコンテンツを回収するための任意の他の好適な方法によって、視覚メディアコンテンツが特定のオーディオアセットの少なくとも一部分を含むことを決定してもよい。
【００７２】
関連メディア領域６２０は、選択されたオーディオアセットに関係付けられる視覚メディアコンテンツを表示してもよい。例えば、「Ｔｈｅ  Ｔｈｏｍａｓ  Ｃｒｏｗｎ  Ａｆｆａｉｒ（１９９９）」が、一覧６２２の中に位置する。関連視覚メディアコンテンツは、表示のためにユーザによって選択されてもよく、またはある実施形態では、オーディオアセット再生中に視覚メディアコンテンツが表示される順序が、ユーザに提示されてもよい。
【００７３】
関連メディア領域６２０は、図６の実施例では、「映画」６３０、「ＴＶ番組」６４０、「ビデオ」６５０、および「ゲーム」６６０といった４つのコンテンツコラムにグループ化される。図６は、４つのコンテンツコラムを描写するが、ある実施形態では、ユーザ選好および／またはどのような種類の視覚メディアコンテンツが利用可能であるかに応じて、任意の数のコンテンツコラムがあってもよい。ある実施形態では、コンテンツ製作者が、メディア領域６２０に広告または他のコンテンツを表示する権利を購入してもよい。例えば、ビデオゲーム会社が、「ゲーム」コラム６６０の中に新しいビデオゲームコンテンツを配置する権利を購入してもよい。いくつかの実施形態では、メディア領域６２０中に表示される広告は、選択されるオーディオアセットの種類および／または表示される視覚メディアコンテンツに関係付けられてもよい。
【００７４】
ある実施形態では、注文オプション領域６７０が、関連メディア領域６２０中の視覚メディアコンテンツの隣に現れてもよい。例えば、注文オプション領域６７０は、「映画」コンテンツコラム６３０の中の「Ｏｃｅａｎｓ  １２（２００４）」の隣、および「ゲーム」コンテンツコラム６６０の中の「Ｃｏｎｔｅｎｔｓ  Ｕｎｄｅｒ  Ｐｒｅｓｓｕｒｅ」の隣に現れる。注文オプション領域６７０は、表示前に特定の視覚媒体を購入しなければならないことをユーザに示してもよい。ある実施形態では、注文オプション領域６７０は、購入情報を表示するように選択することができるリンクを提供してもよい。ある実施形態では、注文オプション領域６７０の選択は、情報をユーザに提供するか、またはユーザから情報を要求するプロンプトの表示を引き起こしてもよい。例えば、ユーザが、ゲームコラム６６０の中の視覚メディアコンテンツ「Ｃｏｎｔｅｎｔｓ  Ｕｎｄｅｒ  Ｐｒｅｓｓｕｒｅ」の隣の注文オプション領域６７０を選択すると、「Ｃｏｎｔｅｎｔｓ  Ｕｎｄｅｒ  Ｐｒｅｓｓｕｒｅ」を購入するために、ユーザパスワードを要求する、またはユーザから課金情報を要求するプロンプトが表示されてもよい。ある実施形態では、特定の視覚メディアアセットの価格を示す、または特定の視覚メディアアセットをダウンロードあるいはストリームするためにユーザアカウントに請求する許可を求めるプロンプトが表示されてもよい。ユーザが有効な許可を提供すると、制御回路３０４は、通信ネットワーク４１４上で、視覚メディアコンテンツを識別する情報を遠隔サーバに伝送してもよい。遠隔サーバ、または第三者サービスは、ユーザに課金し、視覚メディアコンテンツがダウンロードまたはストリームされることを可能にしてもよい。ある実施形態では、第三者サービスは、視覚メディアコンテンツにアクセスした後に、インボイスまたは請求書をユーザ機器４０２、４０４、または４０６に伝送し、ユーザが視覚メディアコンテンツの代金を支払うことを可能にしてもよい。
【００７５】
関連メディア領域６２０および現在のアセット情報領域６１０は、（図６に図示されるように）別個のメニューの一部であってもよく、または背景にある視覚メディアコンテンツの上のオーバーレイであってもよい。ある実施形態では、領域６１０および６２０は、背景にある視覚メディアコンテンツが領域の背後で可視的であるように、透明であってもよい。
【００７６】
いくつかの実施形態では、オーディオアセットの選択は、ユーザを関連メディアメニュー画面６００にナビゲートしなくてもよい（または関連メディアメニュー画面６００の表示を引き起こさなくてもよい）。関連メディアメニュー画面６００によって提示される関連メディア６２０は、データベースの中にとどまってもよく、ユーザに表示されなくてもよい。具体的には、ユーザが特定のオーディオアセットを選択すると、視覚メディアコンテンツは、関連メディアメニュー画面６００を表示することなく、オーディオアセットの表示中に自動的に表示されてもよい。例えば、制御回路３０４は、ユーザ入力を伴わずに再生中に表示されるように、データベースから視覚メディアコンテンツを自動的に選択してもよい。
【００７７】
図５に示された実施例は、プレイリストとともに、別個のウィンドウの中に視覚メディアコンテンツを表示するが、視覚メディアコンテンツは、種々の異なるレイアウトでオーディオアセットと同時に表示されてもよい。例えば、図７は、本発明の別の実施形態による、視覚メディアコンテンツ表示画面７００の例示的な表示である。表示画面７００は、視覚メディアコンテンツ７１０およびオーディオアセット情報領域７２０を含んでもよい。オーディオアセット情報領域７２０は、選択されたオーディオアセットに関係付けられるウィンドウ７２２にアルバムアートを含むとともに、オーディオアセットのタイトル、関連視覚メディアコンテンツのタイトル、アーティスト名、俳優の名前、オーディオアセットの残り時間、視覚メディアコンテンツの残り時間、または任意の他の好適な情報等の、オーディオアセットおよび視覚メディアコンテンツに関係付けられる他の情報を含んでもよい。ある実施形態では、ウィンドウ７２２は、ピクチャインピクチャ（ＰＩＰ）表示を提供してもよい。具体的には、ウィンドウ７２２は、オーディオアセットの再生中に、オーディオアセットと関係付けられるコンテンツ７１０以外の視覚メディアコンテンツを表示してもよい。例えば、図６を再び参照すると、「Ｍｉａｍｉ  Ｖｉｃｅ（２００６）」からの場面がウィンドウ７２２に表示されてもよい一方で、「Ｏｃｅａｎｓ  １２（２００４）」は背景７１０に表示される。ある実施形態では、それぞれ異なる視覚メディアコンテンツを表示する１つ以上のウィンドウ７２２があってもよい。
【００７８】
図５および６を再び参照すると、ユーザが、オーディオアセット５１２「Ｓｉｎｎｅｒ  Ｍａｎ−Ｎｉｎａ  Ｓｉｍｏｎｅ」（図５）および「映画」コンテンツコラム６３０（図６）からの関連視覚メディアコンテンツ「Ｏｃｅａｎｓ  １２（２００４）」を選択した場合には、オーディオアセット５１２「Ｓｉｎｎｅｒ  Ｍａｎ」が再生される、「Ｏｃｅａｎｓ  １２（２００４）」からの１つ以上の場面が、「Ｓｉｎｎｅｒ  Ｍａｎ−Ｎｉｎａ  Ｓｉｍｏｎｅ」の再生中に視覚メディアコンテンツ７１０として表示されてもよい。任意の特定のオーディオアセットについて、再生される視覚メディアコンテンツは、ユーザによって、制御回路３０４によって、または第三者によって選択されてもよい。例えば、ユーザは、オーディオアセット「Ｓｉｎｎｅｒ  Ｍａｎ−Ｎｉｎａ  Ｓｉｍｏｎｅ」が再生のために選択されると、「Ｎｉｎａ  Ｓｉｍｏｎｅ  Ｌｉｖｅ（Ｙｏｕｔｕｂｅ）」を常に表示するようにユーザ選好を設定してもよい。別の実施例として、制御回路３０４は、オーディオアセット「Ｓｉｎｎｅｒ  Ｍａｎ−Ｎｉｎａ  Ｓｉｍｏｎｅ」の再生に応じて、（例えば、記載された順序で、または任意の特定の順序で）「ＴＶ番組」コラム６４０から視覚メディアコンテンツを自動的に表示してもよい。さらに別の実施例として、視覚メディアコンテンツは、第三者によって特定されるような特定のオーディオアセットとともに、自動的に表示されてもよい。例えば、インターネットブログまたは推奨サイトが、オーディオアセットに特によく適する視覚メディアコンテンツのリストを提案してもよい。制御回路３０４は、オーディオアセットの再生中に、第三者によって提案されるリストから視覚メディアコンテンツを表示してもよい。
【００７９】
オーディオアセット情報領域７２０は、背景に視覚メディアコンテンツを伴うオーバーレイとして、別個のウィンドウとして、透明バナーとして、または任意の他の好適な表示方法で表示されてもよい。加えて、情報領域７２０は、ある時間量の後に表示から消滅してもよく、またはユーザ入力によって却下されてもよい。
【００８０】
図５を再び参照すると、オーディオアセット５１２の選択は、ユーザを画面８００（図８）にナビゲートしてもよい（または画面８００の表示を引き起こしてもよい）。ある実施形態では、ユーザは、オーディオアセットを選択することなく、画面８００にナビゲートしてもよい。具体的には、ユーザは、オーディオアセットの再生中に、どの種類の視覚メディアコンテンツが表示されるべきかを特定するために、画面８００を使用してもよい。例えば、画面８００は、ユーザが視覚メディアコンテンツを特定することを可能にするために、ラジオボタン、チェックボックス、または任意の他の好適な選択機構を有してもよい。例えば、ユーザは、マウスを用いて映画、テレビ番組、およびインターネットコンテンツに対応するラジオボタンをクリックすることによって、オーディオアセットの再生中に表示される映画、テレビ番組、およびインターネットコンテンツのみを有するオプションを選択してもよい（図８）。別の実施例として、ユーザは、視覚メディアコンテンツをハイライトし、リモコン、キーボード、または任意の他の好適な入力デバイス上で「削除」を押すことによって、仕様メニュー８００から望ましくない視覚メディアコンテンツを除去してもよい。ある実施形態では、画面８００の中でユーザによって選択されるオプションは、ソースの検索を、ユーザによって特定される視覚メディアコンテンツの種類に制限する。具体的には、ユーザは、視覚メディアコンテンツを検索するための選好を設定するために、画面８００にアクセスしてもよい。例えば、ユーザが「インターネットコンテンツ」に対応するラジオボタンのみを選択すると、次いで、選択されたオーディオアセットの少なくとも一部分を含む視覚メディアコンテンツの検索が、インターネットコンテンツのみに限定されてもよい。
【００８１】
コンテンツ仕様メニュー８００（図８）は、プレイリスト８１０および関連視覚メディアコンテンツ選好画面８２０を含んでもよい。選好画面８２０では、ユーザが、ユーザ機器を使用して表示される特定のコンテンツを選択することができる。ある実施形態では、関連視覚メディアコンテンツ選好画面８２０は、どのような種類の視覚メディアコンテンツが特定のオーディオアセットに対して利用可能であるかをユーザに表示し、ユーザが利用可能なオプションから選択することを可能にしてもよい。例えば、「Ｓｉｎｎｅｒ  Ｍａｎ−Ｎｉｎａ  Ｓｉｍｏｎｅ」がハイライトされると、選好画面８２０は、「映画」、「ＴＶ番組」、「ビデオ」、「ゲーム」、「インターネットコンテンツ」、および「著作権物」が全て表示のために利用可能であることを示してもよい。しかしながら、「Ｄｏｎ’ｔ  Ｓｐｅａｋ−Ｎｏ  Ｄｏｕｂｔ」がハイライトされると、「ＴＶ番組」および「インターネットコンテンツ」のみが、選好画面８２０の中のオプションとして利用可能であってもよい。
【００８２】
図６を再び参照すると、視覚メディアコンテンツ６２２の選択は、ユーザを画面９００（図９）にナビゲートしてもよい（または画面９００の表示を引き起こしてもよい）。具体的には、画面９００は、選択された視覚メディアコンテンツ６２２に関係付けられる複数のメディアアセットを表示する。例えば、ユーザが、コンテンツコラム６３０（図６）から視覚メディアコンテンツ「Ｔｈｅ  Ｔｈｏｍａｓ  Ｃｒｏｗｎ  Ａｆｆａｉｒ  （１９９９）」を選択すると、ユーザ機器４０２、４０４、または４０６は、ユーザを画面９００にナビゲートしてもよい（またはオーバーレイとして画面９００のオプションを表示してもよい）。ユーザ機器は、メモリから（ローカルまたは遠隔で）、「Ｔｈｅ  Ｔｈｏｍａｓ  Ｃｒｏｗｎ  Ａｆｆａｉｒ  Ｓｏｕｎｄｔｒａｃｋ」等の「Ｔｈｅ  Ｔｈｏｍａｓ  Ｃｒｏｗｎ  Ａｆｆａｉｒ（１９９９）」と関係付けられる複数のメディアアセットを識別および回収し、画面９００の中で複数のメディアアセットのそれぞれを表す識別子を表示してもよい。画面９００の中の視覚メディアコンテンツと関係付けられるメディアアセットの表示は、ユーザが、最も楽しむ可能性が高い付加的なメディアアセット（視覚メディアコンテンツとは異なる）を紹介されることを可能にする。画面９００によって表示されるメディアアセットは、オーディオアセット、視覚メディアアセット、インターネットコンテンツ、または任意の他の好適な種類のメディアアセットであってもよい。
【００８３】
関連メディアアセットメニュー９００は、現在の選択情報９１０、関連メディアアセット表示画面９２０、および視覚メディアコンテンツ９３０を含む。関連メディアアセットメニュー９００に表示されるメディアは、オーディオメディア、視覚メディア、テキストメディア、および当業者に公知である任意の他の種類のメディアを含む、任意の種類のメディアであってもよい。表示画面９２０の中のメディアアセット識別子は、リストとして、または選択可能なオプションとして表示されてもよい。ユーザが関連メディアアセット表示画面９２０の中でメディアアセット識別子を選択すると、メディアアセット自体が表示されてもよく、またはメディアアセットと関連付けられる情報が表示されてもよい。具体的には、メディアアセットが選択されると、メディアアセットを購入するリンク、メディアアセットのプレビュー、またはメディアアセットと関連付けられる任意の他の好適な情報が表示されてもよい。例えば、「Ｐｉｅｒｃｅ  Ｂｒｏｓｎａｎビデオバイオグラフィ」の選択は、メディアコンテンツの１５秒間のプレビューを提供してもよく、その後に、ユーザがコンテンツ全体をダウンロードしたいかどうかを尋ねるプロンプトが続く。加えて、注文ボタン（例えば、注文ボタン６７０）が表示され、図６に関して上記で説明されることと同様に機能してもよい。
【００８４】
関連メディアアセット表示画面９２０は、背景に、別個のウィンドウとして、透明バナーとして、または任意の他の好適な表示方法で視覚メディアコンテンツ９３０を伴うオーバーレイとして表示されてもよい。加えて、関連メディアアセット表示画面９２０は、ある時間料後に表示から消滅してもよく、またはユーザ入力によって却下されてもよい。
【００８５】
図１０Ａおよび１０Ｂは、本発明の実施形態による、音楽および視覚メディアコンテンツを関連付けるためのシステム１０００（図１０Ａ）および１０５０（図１０Ｂ）を示す。システム１０００は、全て通信ネットワーク１０４０によって相互接続される、メディアプロバイダ１０１０、ユーザ機器１０２０、および視覚メディアソース１０３０を含んでもよい。メディアプロバイダ１０１０は、ディスプレイ１０１２、メディア記憶装置１０１４、および通信デバイス１０１６を含んでもよい。簡潔するために、ユーザ機器１０２０の機能性の考察は省略されているが、ユーザ機器４０２、４０４、または４０６（図４）と同じまたは同様の機能性を包含すると理解されるべきである。同様に、通信ネットワーク１０４０は、通信ネットワーク４１４（図４）として実装されてもよい。また、メディアプロバイダ１０１０は、メディアコンテンツソース４１６またはメディアガイダンスデータソース４１８（図４）のいずれか一方または両方として実装されてもよい。図１０Ａおよび１０Ｂに示された構成要素のそれぞれは、通信ネットワーク１０４０（例えば、短距離または長距離通信）上で相互に通信してもよい。ある実施形態では、メディアプロバイダ１０１０、ユーザ機器１０２０、および視覚メディアソース１０３０のうちのいずれか１つは、同じデバイス上で実装されてもよい。
【００８６】
ユーザは、再生用のオーディオアセットを選択するために、ユーザ機器１０２０を使用してもよい。例えば、ユーザは、画面５００（図５）にアクセスし、プレイリストからオーディオアセットを選択してもよい。ユーザ機器１０２０は、メディアプロバイダ１０１０から、または記憶装置３０８（図３）等のユーザ機器内の内部記憶装置から、オーディオアセット、およびオーディオアセットと関連付けられるメタデータを要求してもよい。例えば、制御回路は、記憶装置３０８（図３）上のデータ構造からオーディオアセットデータを回収してもよく、またはオーディオアセットデータに対する識別子とともに要求アップストリームを送信してもよい。ユーザ機器１０２０がデータの要求をメディアプロバイダ１０１０に送信すると、メディアプロバイダは、メディア記憶装置１０１４からデータを回収してもよく、または、通信ネットワーク１０４０を通して、視覚メディアソース１０３０と通信し、視覚メディアソース１０３０からデータを回収し、あるいは両方の組み合わせを行ってもよい。同様の過程が、視覚メディアコンテンツまたは関連メディアアセットデータに対するユーザ機器による要求を使用可能にするために使用されてもよい。例えば、画面６００（図６）に表示される関連メディアコンテンツは、オーディオアセットの少なくとも一部分を含む視覚メディアコンテンツについてのユーザ機器１０２０またはメディアプロバイダ１０１０による検索の結果として、表示されてもよい。オーディオアセットが選択されると、視覚メディアソース１０３０は、選択されたオーディオアセットの少なくとも一部分を含む、視覚メディアコンテンツについて検索されてもよい。視覚メディアソース１０３０は、データベース、インターネット、ハードドライブ、遠隔デバイス、モバイルデバイス、サーバ、または任意の他の好適なソースであってもよい。
【００８７】
ユーザ機器１０２０がメディアプロバイダ１０１０または視覚メディアソース１０３０からデータを要求すると、データは、メディアプロバイダ１０１０またはメディアソース１０３０からユーザ機器１０２０内の内部記憶装置３０８へ転送されてもよく、あるいはデータは、通信ネットワーク１０４０上でメディアプロバイダ１０１０またはメディアソース１０３０から直接ストリームされてもよい。
【００８８】
システム１０００の構成要素に加えて、システム１０５０は、通信ネットワーク１０４０と視覚メディアソース１０３０との間に接続される第三者サービス１０６０を含む。第三者サービス１０６０は、オーディオ認識装置１０６２を含んでもよい。具体的には、ユーザ機器１０２０は、データの要求を第三者サービス１０６０に直接送信してもよい。第三者サービスは、データを検索および回収するとともに、視覚メディアコンテンツを選択されたオーディオアセットと関連付けるように、メディアプロバイダ１０１０および視覚メディアソース１０３０と通信してもよい。例えば、ユーザ機器１０２０は、特定のオーディオアセットの少なくとも一部分を含む視覚メディアコンテンツを回収する要求を、第三者サービス１０６０に送信してもよい。第三者サービス１０６０は、オーディオアセットと関係付けられる視覚メディアコンテンツを見出し、視覚メディアコンテンツをオーディオアセットと関連付けるように、視覚メディアソース１０３０を検索してもよい。
【００８９】
ある実施形態では、メディアプロバイダ１０１０は、ユーザ機器１０２０に転送する前にデータを回収するように、第三者サービス１０６０と通信する。例えば、メディアプロバイダ１０１０は、関連視覚コンテンツの要求とともに、オーディオアセットデータを第三者サービス１０６０に提供してもよい。第三者サービスは、関連視覚メディアコンテンツを検索してオーディオアセットと関連付け、データをメディアプロバイダ１０１０またはユーザ機器１０２０に戻してもよい。
【００９０】
第三者サービス１０６０は、オーディオ認識過程を実行するためのオーディオ認識装置１０６２を含む。第三者サービス１０６０によって採用されるオーディオ認識過程は、オーディオアセットと関連付けられるオーディオ周波数データを、視覚メディアコンテンツと関連付けられるオーディオ周波数データと相互参照してもよい。第三者サービス１０６０は、視覚メディアコンテンツを検索し、オーディオアセットと関連付ける時に、オーディオ認識過程を使用してもよい。例えば、オーディオアセット５１２「Ｓｉｎｎｅｒ  Ｍａｎ」（図５）に対するオーディオデータが第三者サービス１０６０に転送される場合、第三者サービスは、転送されたオーディオデータがオーディオアセット「Ｓｉｎｎｅｒ  Ｍａｎ」に対応すること、および「Ｔｈｅ  Ｔｈｏｍａｓ  Ｃｒｏｗｎ  Ａｆｆａｉｒ」も同様または同じオーディオデータを含むことを決定するために、オーディオ認識過程を使用してもよい。次いで、第三者サービス１０６０は、「Ｔｈｅ  Ｔｈｏｍａｓ  Ｃｒｏｗｎ  Ａｆｆａｉｒ」の映画全体または１つ以上の特定の場面を、「Ｓｉｎｎｅｒ  Ｍａｎ」オーディオアセットと関連付けることができる。
【００９１】
オーディオアセットと関連付けられるデータは、オーディオアセットを識別するか、または視覚メディアコンテンツを関連付けるための基準を提供する、種々のフィールドを含むデータ構造であってもよい。オーディオアセットと関連付けられるデータは、図１１に示された種類であってもよい。具体的には、図１１は、本発明の実施形態による、オーディオアセットの例示的なデータ構造１１００を示す。
【００９２】
データ構造１１００は、メディア種類フィールド１１１０、メディアアセットサイズフィールド１１１４、メディアタイトルフィールド１１１８、メディアアーティストフィールド１１２２、メディア日付フィールド１１２６、メディア識別子フィールド１１３０、関連メディアアクセスフィールド１１４０、およびＵＲＬリンク１１４４を含んでもよい。メディア種類フィールド１１１０およびサイズフィールド１１１４は、オーディオアセットおよびその関連データを整理し、記憶するために、処理回路３０６（図３）によって使用されてもよい。メディア識別子フィールド１１３０は、例えば、プレイリスト５１０（図５）のアセットタイトルおよびアーティスト５２１２として、オーディオアセット識別情報をユーザに表示するために、ユーザ機器１０２０によって使用されてもよい。関連メディアアクセスフィールド１１４０は、オーディオアセットデータを見つけて回収するために、ユーザ機器１０２０、メディアプロバイダ１０１０、および／または第三者サービス１０６０によって使用されてもよい。例えば、データ構造１１００は、オーディオアセットが位置する場所を示すＵＲＬリンク１１４４を、関連メディアアクセスフィールド１１４０に含有する。
【００９３】
メディアタイトルフィールド１１１８、メディアアーティストフィールド１１２２、およびメディア日付フィールド１１２６は、例えば、図５−９の画面のうちのいずれかの中で、ユーザに表示されてもよく、オーディオアセットの少なくとも一部分を含む関連視覚メディアコンテンツを決定するために使用されてもよい。具体的には、メディアタイトル、メディアアーティスト、メディア日付、または任意の他の好適なデータ等のオーディオアセットと関連付けられるデータは、視覚メディアコンテンツと関係付けられるデータと比較され、関連付けられてもよい。例えば、メディアプロバイダ１０１０は、オーディオアセット表示構造１１００からのメディアアーティストフィールド１１２２「Ｎｉｎａ  Ｓｉｍｏｎｅ」と合致する視覚メディアコンテンツと関連付けられるデータについて、視覚メディアソース１０３０を検索してもよい。アーティスト「Ｎｉｎａ  Ｓｉｍｏｎｅ」に対応するデータも含む視覚メディアコンテンツが識別されると、視覚メディアコンテンツは、メディアプロバイダ１０１０のメディア記憶装置１０１４上に、またはユーザ機器１０２０の記憶装置３０８上に記憶される、メディア関連付けデータベースに入力されてもよい。
【００９４】
メディア関連付けデータベースと関連付けられるデータは、関連視覚メディアコンテンツを識別する、または視覚メディアコンテンツをオーディオアセットと関連付けるための基準を提供する、種々のフィールドを含むデータ構造であってもよい。メディア関連付けデータベースに記憶されるデータは、図１２に示された種類であってもよい。具体的には、図１２は、本発明の実施形態による、メディア関連付けデータベースに対する例示的なデータ構造１２００を示す。
【００９５】
データ構造１２００は、オーディオアセットタイトルフィールド１２１０、関連メディア識別子フィールド１２２０、映画フィールド１２３０、映画タイトル１フィールド１２３２、ＴＶ番組フィールド１２４０、ＴＶタイトル１フィールド１２４２、ビデオフィールド１２５０、およびビデオ１フィールド１２５２を含んでもよい。オーディオアセットタイトルフィールド１２１０は、データベースが結び付けられるオーディオアセットを決定するために、処理回路３０６によって使用されてもよい。例えば、処理回路は、データ構造１２００が「Ｓｉｎｎｅｒ  Ｍａｎ」オーディオアセットに結び付けられることを決定するように、オーディオアセットタイトル１２１０を読み取ってもよい。ある実施形態では、特定のデータ構造と関連付けられるオーディオアセットを識別するために、オーディオ周波数データ、記憶場所、または任意の他の好適な種類のデータ等の他のデータが使用されてもよい。
【００９６】
関連メディア識別子フィールド１２２０は、オーディオアセットに関係付けられるデータ関連視覚メディアコンテンツを示してもよい。具体的には、関連メディア識別子１２２０は、映画フィールド１２３０およびＴＶ番組フィールド１２４０、ビデオフィールド１２５０、または視覚メディアコンテンツ種類に好適な任意の他のフィールドを含んでもよい。図６を再び参照すると、各コラム６３０、６４０、６５０、および６６０は、データ構造１２００の中の関連メディア識別子に対応してもよい。例えば、ｍｏｖｉｅ＿ｔｉｔｌｅ＿１  １２３２「Ｔｈｅ  Ｔｈｏｍａｓ  Ｃｒｏｗｎ  Ａｆｆａｉｒ  （１９９９）」は、処理回路３０６によってデータ構造１２００の中で識別され、画面６００（図６）のコンテンツコラム６３０に表示されてもよい。加えて、データ構造１２００は、関連メディアコンテンツのソースを含んでもよい。例えば、「Ｔｈｅ  Ｔｈｏｍａｓ  Ｃｒｏｗｎ  Ａｆｆａｉｒ（１９９９）」が位置してもよい場所を示すＵＲＬが、ｍｏｖｉｅ＿ｔｉｔｌｅ＿１  １２３２に対して含まれる。視覚メディアコンテンツのソースは、ＵＲＬ、サーバ、ハードドライブ、または任意の他の好適な記憶場所であってもよい。
【００９７】
図１３は、本発明の別の実施形態による、オーディオアセットおよび視覚メディアコンテンツを関連付けるための例示的なフロー図１３００である。ステップ１３１０では、オーディオアセットが再生のために選択される。例えば、ユーザは、プレイリストメニュー画面５００にアクセスして、プレイリストからオーディオアセットを閲覧および選択するために、ユーザ機器４０２、４０４、または４０６を使用してもよい。ある実施形態では、いずれのユーザ入力も関与せず、オーディオアセットは、例えば、処理回路３０６によって、自動的に選択される。オーディオアセットは、連続プレイリストの中の次の入力として、自動的に選択されてもよい。選択されたオーディオアセットは、ユーザ選択、自動選択、またはステップ１３１０、１３２０、１３３０、あるいは１３４０のうちのいずれかに応じて、再生されてもよい。
【００９８】
ステップ１３２０では、ユーザによって選択されるオーディオアセットに関係付けられる視覚メディアコンテンツについて、ソースが検索される。具体的には、ソースは、ユーザによって選択されるオーディオアセットの少なくとも一部分を含む視覚メディアコンテンツについて検索される。例えば、ユーザ機器デバイス１０２０は、選択されたオーディオアセットの少なくとも一部分を含む、１つまたは複数の視覚メディアコンテンツについて、視覚メディアソース１０３０を検索してもよい。検索は、選択されたオーディオアセットと関連付けられるメタデータを回収することを含んでもよい。例えば、ユーザ機器１０２０は、視覚メディアソース１０３０を検索する前に、内部記憶装置３０８から、および／またはメディアプロバイダ１０１０から、選択されたオーディオアセットと関連付けられるメタデータを回収してもよい。具体的には、関連視覚メディアコンテンツの検索は、オーディオアセットと関連付けられる回収されたメタデータに基づいて行われてもよい。
【００９９】
ある実施形態では、ユーザ機器１０２０上の記憶装置等の記憶装置３０８（図３）、またはメディアプロバイダ１０１０のメディア記憶装置１０１４は、オーディオアセットに関係付けられる視覚メディアコンテンツについて検索されるソース（または複数のソース）であってもよい。ある実施形態では、検索ステップ１３２０は、オーディオアセットが再生のために選択される度に繰り返される。
【０１００】
ステップ１３３０では、オーディオアセットが、ステップ１３２０で識別される視覚メディアコンテンツと関連付けられる。具体的には、視覚メディアコンテンツの少なくとも一部分が、オーディオアセットの少なくとも一部分を含む（例えば、対応するメタデータを有する）ことがわかると、オーディオアセットは、複数の識別された視覚メディアコンテンツのうちの１つと関連付けられる。関連ステップは、データベースへのオーディオアセットと関連付けられる入力と、入力に結び付けられる視覚メディアコンテンツの識別子とを追加するステップを含んでもよい。ある実施形態では、ステップ１３２０の検索およびステップ１３３０の関連付けは、オーディオアセットが再生されている際に継続的に発生してもよい。例えば、ユーザがオーディオアセット５１２（図５）を選択すると、検索ステップ１３２０および関連付けステップ１３３０が進行中である間に、オーディオアセットが再生されてもよく、関連視覚メディアコンテンツが画面５３０上に表示されてもよい。加えて、検索ステップ１３２０は、オーディオアセットが選択される度に繰り返されてもよい。これは、以前にオーディオアセットと関連付けられていなかった新しい視覚メディアコンテンツが、選択される度にオーディオアセットと関連付けられることを確実にする。
【０１０１】
検索するステップ１３２０および関連付けるステップ１３３０は、ユーザ機器１０２０の制御回路３０４によって行われてもよい。要求がユーザ機器１０２０によって第三者サービス１０６０に送信される状況では、第三者サービスが、検索するステップおよび関連付けるステップを行ってもよい。例えば、第三者サービス１０６０は、視覚メディアコンテンツメタデータを検索し、視覚メディアコンテンツメタデータを、ユーザ機器１０２０またはメディアプロバイダ１０１０から送信されたオーディオアセットメタデータと比較してもよい。第三者サービス１０６０は、少なくとも部分的に、それぞれの比較されたメタデータに基づいて、視覚メディアコンテンツをオーディオアセットと合致させてもよい。
【０１０２】
ステップ１３４０では、視覚メディアコンテンツが、オーディオアセットの再生中に表示される。例えば、映画クリップがステップ１３３０でオーディオアセットと関連付けられる場合、それは、オーディオアセットの再生中に、例えば、表示領域５３０（図５）中で表示されてもよい。
【０１０３】
実践では、過程１３００に示される１つ以上のステップは、他のステップと組み合わされ、任意の好適な順序で行われるか、並行して行われるか（例えば、同時または実質的に同時に）、または除去されてもよい。
【０１０４】
図１４は、本発明の別の実施形態による、オーディオアセットおよび視覚メディアコンテンツを関連付けるための例示的なフロー図１４００である。ステップ１４１０では、オーディオアセットが再生のために選択される。例えば、ユーザは、プレイリストメニュー画面５００にアクセスして、プレイリストからオーディオアセットを閲覧および選択するために、ユーザ機器４０２、４０４、または４０６を使用してもよい。ある実施形態では、オーディオアセットは、例えば、制御回路３０４によって、自動的に（すなわち、ユーザ入力を伴わずに）選択される。オーディオアセットは、連続プレイリストの中の次の入力として、自動的に選択されてもよい。
【０１０５】
ステップ１４１２では、オーディオアセットと関連付けられるメタデータが回収される。例えば、オーディオアセットと関連付けられるメタデータは、データ構造１１００（図１１）等のデータ構造に記憶されてもよい。データ構造は、ユーザ機器１０２０上に記憶されてもよく、またはメディアプロバイダ１０１０によって提供されてもよい。
【０１０６】
ステップ１４１４では、ユーザが選好を選択したかどうかについて決定が行われる。例えば、ユーザは、コンテンツ仕様メニュー（図８）の画面８２０を使用して、コンテンツ選好を入力してもよい。ユーザがあるコンテンツ表示選好を示す場合、視覚メディアコンテンツの検索は、ステップ１４１６のように、ユーザ指定コンテンツに制限される。ある実施形態では、いずれのユーザ選好も選択されなければ、検索は全ての種類の視覚メディアコンテンツに開かれたままとなる。
【０１０７】
ステップ１４１８では、第三者サービスを利用するかどうかについて決定が行われる。例えば、オーディオアセットと関連付けられるメタデータは、通信ネットワーク１０４０（図１０Ｂ）を使用して、第三者サービス１０６０等の第三者サービスに転送されてもよい。ステップ１４２０では、第三者は、関連視覚メディアコンテンツの検索を行い、関連視覚メディアコンテンツをオーディオアセットと関連付けるために、オーディオアセットと関連付けられるメタデータを利用してもよい。第三者サービスによって行われる検索および関連付けステップは、上記（図１３）で説明されるようなステップ１３２０および１３３０と同じまたは同様であってもよい。
【０１０８】
ステップ１４２２では、第三者サービスは、視覚メディアコンテンツメタデータをオーディオアセットメタデータと合致させてもよい。ある実施形態では、オーディオメディアアセットメタデータは、オーディオメディアアセット自体を含む。上記で論議されるように、第三者サービスは、オーディオアセットを識別し、視覚メディアコンテンツをオーディオアセットと関連付けるために、オーディオ認識装置を使用してもよい。
【０１０９】
第三者サービスが利用可能ではないか、または必要とされない場合、ソースの検索が、ステップ１４２４で、オーディオアセットの少なくとも一部分を含む視覚メディアコンテンツについて行われる。例えば、視覚メディアソース１０３０（図１０Ａ）等の視覚メディアソースは、オーディオアセットの少なくとも一部分を含む視覚メディアコンテンツについて、制御回路３０４によって検索されてもよい。オーディオアセットの少なくとも一部分を含む視覚メディアコンテンツのいくつかの実施例は、オーディオアセットが再生された映画、オーディオアセットを特色とする音楽ビデオ、オーディオアセットを特色とするテレビ番組、またはオーディオアセットを含んでもよい任意の他の好適な視覚メディアコンテンツであってもよい。
【０１１０】
ステップ１４２６では、ステップ１４２４で識別された視覚メディアコンテンツが、オーディオアセットと関係付けられるデータベース１２００等のデータベースの中に現在あるかどうかについて決定が行われる。視覚メディアコンテンツがすでにオーディオアセットと関連付けられ、すでにデータベースの中に配置されている場合、検索は、データベースに追加する新しい視覚メディアコンテンツについて継続される。
【０１１１】
識別された視覚メディアコンテンツが、オーディオアセットに関係付けられるデータベースにまだ追加されていない場合、ステップ１４２８において追加される。ステップ１４３０では、視覚メディアコンテンツが無料であるかどうかについて決定が行われる。例えば、視覚メディアコンテンツは、著作権を保持してもよく、視聴するために＄２．９９かかってもよい。視覚メディアコンテンツが視聴する前に料金を必要とする場合、ステップ１４３２で、自動請求オプションが利用可能であるかどうかについて決定が行われなければならない。例えば、ユーザは、ユーザ機器１０２０を使用してユーザに通知するか、または不便を掛けることなく、視覚メディアコンテンツの全ての料金がユーザアカウントに自動的に請求されることを特定してもよい（ステップ１４３６）。
【０１１２】
しかしながら、ある実施形態では、ユーザは、請求が自身のアカウントに行われる前に通知を受けることを希望してもよい。ステップ１４３４では、ユーザが料金を必要とする視覚メディアコンテンツを注文したいかどうかの決定が行われる。例えば、図６に図示されるように、視覚メディアコンテンツを購入するオプションをユーザに提供するために、注文ボタン６７０が使用されてもよい。
【０１１３】
ステップ１４３８では、オーディオアセットと関連付けられる視覚メディアコンテンツが、オーディオアセットの再生中に表示される。例えば、視覚メディアコンテンツは、オーディオアセットの再生中に、表示領域５３０（図５）中で、図７の全画面描写における視覚コンテンツ７１０として表示されてもよい。
【０１１４】
実践では、過程１４００に示される１つ以上のステップは、他のステップと組み合わされるか、任意の好適な順序で行われるか、並行して行われるか（例えば、同時または実質的に同時に）、または除去されてもよい。
【０１１５】
本発明の上記の実施形態は、限定ではなく例示の目的で提示され、本発明は、以下に続く請求項のみによって限定される。
【図１】
2013500540.tif 000003
【図２】
2013500540.tif 000004
【図３】
2013500540.tif 000005
【図４】
2013500540.tif 000006
2013500540.tif 000007
【図５】
2013500540.tif 000008
【図６】
2013500540.tif 000009
【図７】
2013500540.tif 000010
【図８】
2013500540.tif 000011
【図９】
2013500540.tif 000012
【図１０】
2013500540.tif 000013
【図１１】
2013500540.tif 000014
【図１２】
2013500540.tif 000015
【図１３】
2013500540.tif 000016
【図１４】
2013500540.tif 000017
【国際調査報告】
2013500540.tif 000018
2013500540.tif 000019
2013500540.tif 000020